(57)【要約】【課題】情報コンテンツを取得する時にデータの誤入力を防止できる携帯通信端末を提供する。【解決手段】通信端末が備えるフラッシュメモリ９４４に格納されるデータは、アクセスされたサービスサイトを識別するサービスＩＤ（メモリ領域１０１０）と、利用者ＩＤ（メモリ領域１０２０）と、パスワード（メモリ領域１０３０）と、サービスサイトに最後にアクセスした日時（メモリ領域１０４０）と、利用者ＩＤの有効期限（メモリ領域１０５０）と、暗証番号（メモリ領域１０６０）と、リモコンアプリケーション（メモリ領域１０７０）と、通信プログラム（メモリ領域１０８０）と、ファームウェア（メモリ領域１０９０）とを含む。【選択図】図１０
2008227701.tif 000002
【特許請求の範囲】
【請求項１】
ネットワークに接続されたコンテンツ出力装置を制御する携帯通信端末であって、前記コンテンツ出力装置は、情報を提供する情報通信装置に前記ネットワークを介して通信可能に接続されており、前記情報通信装置はアクセスの可否を判定するためのアクセスデータを要求し、前記携帯通信端末は、
前記携帯通信端末に対する操作入力を受け付ける入力手段と、
前記操作入力に基づいて、アクセスデータを発信する発信手段と、
前記発信手段によって発信されたアクセスデータを格納する記憶手段と、
前記アクセスデータを表示する表示手段と、
前記表示手段に表示されたアクセスデータを選択する選択手段と、
前記選択手段によって選択されたアクセスデータを前記発信手段に発信させる発信制御手段とを備える、携帯通信端末。
【請求項２】
前記発信手段によって発信されたアクセスデータを前記記憶手段から検索する検索手段をさらに備え、
前記表示手段は、前記検索手段によって検索されたアクセスデータを表示する、請求項１に記載の携帯通信端末。
【請求項３】
前記コンテンツ出力装置を識別する識別情報を受信する受信手段をさらに備え、
前記記憶手段は、前記識別情報と、前記アクセスデータとを関連付けて格納する、請求項１に記載の携帯通信端末。
【請求項４】
前記アクセスデータは、前記情報処理装置によって割り当てられたユーザ識別データと、前記ユーザ識別データに関連付けられるパスワードとを含む、請求項１に記載の携帯通信端末。
【請求項５】
前記記憶手段は、複数のアクセスデータを格納しており、
前記表示手段は、複数のアクセスデータを表示する、請求項１に記載の携帯通信端末。
【請求項６】
前記記憶手段は、前記アクセスデータが使用された時刻と、前記アクセスデータとを関連付けて格納する、請求項１に記載の携帯通信端末。
【請求項７】
前記表示手段は、前記アクセスデータが使用された時刻に従って前記アクセスデータを表示する、請求項１に記載の携帯通信端末。
【請求項８】
前記操作入力に基づいて、前記コンテンツ出力装置の動作を制御するための制御信号を生成する生成手段と、
前記アクセスデータが送信されるときに前記制御信号の送信を禁止する禁止手段とをさらに備える、請求項１に記載の携帯通信端末。
【請求項９】
前記アクセスデータを暗号化する暗号化手段をさらに備え、
前記発信制御手段は、暗号化されたアクセスデータを発信する、請求項１に記載の携帯通信端末。
【請求項１０】
ネットワークに接続されたコンテンツ出力装置を制御する携帯通信端末であって、前記コンテンツ出力装置は、情報を提供する情報通信装置に前記ネットワークを介して通信可能に接続されており、前記情報通信装置はアクセスの可否を判定するためのアクセスデータを要求し、前記携帯通信端末は、
前記携帯通信端末に対する操作入力を受け付ける入力手段と、
前記操作入力に基づいて、アクセスデータを発信する発信手段と、
前記発信手段によって発信されたアクセスデータを格納する記憶手段と、
前記コンテンツ出力装置によって発信される信号を受信する受信手段とを備え、前記信号は、前記アクセスデータの送信要求を有しており、
前記送信要求を検出する検出手段と、
前記送信要求が検出されたことに基づいて、前記コンテンツ出力装置に要求されているアクセスデータを前記発信手段に発信させる発信制御手段とを備える、携帯通信端末。
【請求項１１】
前記発信制御手段は、前記コンテンツ出力装置に要求されているアクセスデータを、前記記憶手段から検索し、検索された前記アクセスデータを前記発信手段に発信させる、請求項１０に記載の携帯通信端末。
【請求項１２】
前記発信手段は、前記コンテンツ出力装置を識別するための識別情報と、前記アクセスデータとを発信し、
前記記憶手段は、前記識別情報と、前記アクセスデータとを関連付けて格納し、
前記送信要求は、前記識別情報を有しており、
前記発信制御手段は、前記識別情報が検出されたことに基づいて、前記記憶手段から前記アクセスデータを検索する、請求項１０に記載の携帯通信端末。
【請求項１３】
前記記憶手段は、複数のコンテンツ出力装置の各々について、前記識別情報と前記アクセスデータとを関連付けて格納している、請求項１２に記載の携帯通信端末。
【請求項１４】
前記アクセスデータは、前記情報処理装置によって割り当てられたユーザ識別データと、前記ユーザ識別データに関連付けられたパスワードとを含む、請求項１０に記載の携帯通信端末。
【請求項１５】
前記記憶手段は、前記アクセスデータが使用された時刻と、前記アクセスデータとを関連付けて格納する、請求項１０に記載の携帯通信端末。
【請求項１６】
前記送信要求を受信したことを通知する画面を表示する表示手段をさらに備える、請求項１０に記載の携帯通信端末。
【請求項１７】
前記表示手段は、前記アクセスデータが使用された時刻に基づいて、前記アクセスデータを表示する、請求項１５に記載の携帯通信端末。
【発明の詳細な説明】
【技術分野】
【０００１】
本発明は情報コンテンツへのアクセスを制御する技術に関する。より特定的には、情報の利用者が情報コンテンツの提供を受けるための操作入力を支援する技術に関する。
【背景技術】
【０００２】
ネットワークを経由して映像コンテンツあるいは音楽コンテンツを配信するサービスがある。このようなサービスは、そのサービスを受けるために前もって登録された使用者に対して割り当てられたユーザＩＤ（Identification）とパスワード（password：ＰＷ）とによる認証の後に提供される場合が多い。従って、使用者は、そのサービスにアクセスするために、ユーザＩＤおよびパスワードを入力する必要がある。
【０００３】
このようなサービスを受けるための一つの装置として、ネットワークに接続されて通信可能なテレビジョン受信装置（以下、単にテレビという。）がある。テレビは、リモコン端末の制御信号によって制御される。リモコン端末は、当該テレビに固有なリモコン端末に限られず、情報通信端末の一つの機能として実現される場合もある。
【０００４】
たとえば、特開２００４−２３４２３号公報（特許文献１）は、テレビ等の音量をリモコン操作なしで調整できるリモートコントロール機器を開示している。
【０００５】
また、特開２００５−１２３７８０号公報（特許文献２）は、機器の利用者を簡単かつ正確に検出して、その利用者に応じて機器の制御情報を変更できる機器制御システムを開示している。
【特許文献１】特開２００４−２３４２３号公報
【特許文献２】特開２００５−１２３７８０号公報
【発明の開示】
【発明が解決しようとする課題】
【０００６】
しかしながら、特開２００４−２３４２３号公報に開示された技術によると、特定の使用者に応じた制御を容易に実現することができない場合がある。また、制御される機器を経由して他の装置から情報を取得する場合には、たとえば、特開２００５−１２３７８０号公報に開示された技術では、アクセスが容易でない場合もあった。
【０００７】
本発明は、上述のような問題点を解決するためになされたものであって、その目的は、コンテンツ情報の取得を容易に実現できる携帯通信端末を提供することである。他の目的は、認証のための情報の誤入力を防止できる携帯通信端末を提供することである。さらに他の目的は、ネットワークＴＶその他のネットワークに接続可能な映像表示装置を介して複数のネットワークサービスを利用する場合に、ネットワークへのアクセス操作を簡素化できる携帯通信端末を提供することである。
【課題を解決するための手段】
【０００８】
上記の課題を解決するために、この発明のある局面に従うと、ネットワークに接続されたコンテンツ出力装置を制御する携帯通信端末が提供される。コンテンツ出力装置は、情報を提供する情報通信装置にネットワークを介して通信可能に接続されている。情報通信装置は、アクセスの可否を判定するためのアクセスデータを要求する。この携帯通信端末は、携帯通信端末に対する操作入力を受け付ける入力手段と、操作入力に基づいて、アクセスデータを発信する発信手段と、発信手段によって発信されたアクセスデータを格納する記憶手段と、アクセスデータを表示する表示手段と、表示手段に表示されたアクセスデータを選択する選択手段と、選択手段によって選択されたアクセスデータを発信手段に発信させる発信制御手段とを備える。
【０００９】
好ましくは、携帯通信端末は、発信手段によって発信されたアクセスデータを記憶手段から検索する検索手段をさらに備える。表示手段は、検索手段によって検索されたアクセスデータを表示する。
【００１０】
好ましくは、携帯通信端末は、コンテンツ出力装置を識別する識別情報を受信する受信手段をさらに備える。記憶手段は、識別情報と、アクセスデータとを関連付けて格納する。
【００１１】
好ましくは、携帯通信端末は、アクセスデータは、情報処理装置によって割り当てられたユーザ識別データと、ユーザ識別データに関連付けられるパスワードとを含む。
【００１２】
好ましくは、記憶手段は、複数のアクセスデータを格納している。表示手段は、複数のアクセスデータを表示する。
【００１３】
好ましくは、記憶手段は、アクセスデータが使用された時刻と、アクセスデータとを関連付けて格納する。
【００１４】
好ましくは、表示手段は、アクセスデータが使用された時刻に従ってアクセスデータを表示する。
【００１５】
好ましくは、携帯通信端末は、操作入力に基づいて、コンテンツ出力装置の動作を制御するための制御信号を生成する生成手段と、アクセスデータが送信されるときに制御信号の送信を禁止する禁止手段とをさらに備える。
【００１６】
好ましくは、携帯通信端末は、アクセスデータを暗号化する暗号化手段をさらに備える。発信制御手段は、暗号化されたアクセスデータを発信する。
【００１７】
この発明の他の局面に従う携帯通信端末は、ネットワークに接続されたコンテンツ出力装置を制御する。コンテンツ出力装置は、情報を提供する情報通信装置にネットワークを介して通信可能に接続されている。情報通信装置は、アクセスの可否を判定するためのアクセスデータを要求する。携帯通信端末は、携帯通信端末に対する操作入力を受け付ける入力手段と、操作入力に基づいて、アクセスデータを発信する発信手段と、発信手段によって発信されたアクセスデータを格納する記憶手段と、コンテンツ出力装置によって発信される信号を受信する受信手段とを備える。信号は、アクセスデータの送信要求を有している。携帯通信端末は、送信要求を検出する検出手段と、送信要求が検出されたことに基づいて、コンテンツ出力装置に要求されているアクセスデータを発信手段に発信させる発信制御手段とを備える。
【００１８】
好ましくは、発信制御手段は、コンテンツ出力装置に要求されているアクセスデータを、記憶手段から検索し、検索されたアクセスデータを発信手段に発信させる。
【００１９】
好ましくは、発信手段は、コンテンツ出力装置を識別するための識別情報と、アクセスデータとを発信する。記憶手段は、識別情報と、アクセスデータとを関連付けて格納する。送信要求は、識別情報を有している。発信制御手段は、識別情報が検出されたことに基づいて、記憶手段からアクセスデータを検索する。
【００２０】
好ましくは、記憶手段は、複数のコンテンツ出力装置の各々について、識別情報とアクセスデータとを関連付けて格納している。
【００２１】
好ましくは、アクセスデータは、情報処理装置によって割り当てられたユーザ識別データと、ユーザ識別データに関連付けられたパスワードとを含む。
【００２２】
好ましくは、記憶手段は、アクセスデータが使用された時刻と、アクセスデータとを関連付けて格納する。
【００２３】
好ましくは、携帯通信端末は、送信要求を受信したことを通知する画面を表示する表示手段をさらに備える。
【００２４】
好ましくは、表示手段は、アクセスデータが使用された時刻に基づいて、アクセスデータを表示する。
【発明を実施するための最良の形態】
【００２５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２６】
＜第１の実施の形態＞
図１を参照して、本発明の第１の実施の形態に係るコンテンツ出力システム１０について説明する。図１は、コンテンツ出力システム１０のシステム構成の概略を表わす図である。コンテンツ出力システム１０は、リモコン機能を有する携帯可能な通信端末１００ａ，１００ｂ（以下総称するときは通信端末１００と表わす）と、テレビ１１０と、サービス提供サーバ１２０とを備える。テレビ１１０とサービス提供サーバ１２０とは、インターネット１３０によって接続されている。
【００２７】
通信端末１００は、たとえば、携帯電話、ＰＤＡ（Personal  Digital  Assistant）などであるが、これらに限られない。通信端末１００は、少なくとも、通信機能と情報処理機能とを有する端末であればよい。
【００２８】
テレビ１１０は、ネットワーク接続機能、情報処理機能、サービス提供サーバ１２０との通信機能を有するものであればよい。たとえば、テレビ１１０の形態は、テレビ単体、テレビとセットトップボックス（ＳＴＢ（Set Top Box））の組み合わせ、テレビとＰＣ(Personal  Computer)の組み合わせ、パソコン機能内蔵テレビ、ホームサーバとディスプレイ装置の組み合わせ等であってもよい。
【００２９】
サービス提供サーバ１２０は、たとえば、周知の構成を有するコンピュータシステムによって実現される。サービス提供サーバ１２０として機能するコンピュータシステムは、データ処理機能と、通信機能とを少なくとも有する。なお、このようなコンピュータシステムの構成および動作は、当業者にとって容易に理解できるものである。したがって、構成および動作の詳細な説明は、繰り返さない。
【００３０】
テレビ１１０は、通信端末１００によって発信される信号を受信する。その信号は、テレビ１１０の動作を制御するための信号と、サービス提供サーバ１２０にアクセスするために与えられる信号とを含む。テレビ１１０は、外部から与えられた情報に従ってサービス提供サーバ１２０と通信し、サービス提供サーバ１２０から情報コンテンツを取得する。情報コンテンツは、映像コンテンツおよび音声コンテンツのいずれであってもよい。
【００３１】
サービス提供サーバ１２０がアクセスを受け付けるために、使用者に対して予めＩＤ（Identification）あるいはパスワードを要求する場合、サービス提供サーバ１２０はその要求を表わす信号をテレビ１１０に送信する。テレビ１１０は、その信号を受信すると、ＩＤあるいはパスワードが求められていることを表わす画面を表示し、さらにその入力要求を表わす信号を発信する。通信端末１００がテレビ１１０の近傍に存在しておりテレビ１１０から発信される微弱な電波を受信可能な場合、通信端末１００は、その要求を表わす信号を受信することができる。通信端末１００は、その信号に基づき、要求を表わす画像（たとえば、文字あるいはアイコン等）をディスプレイに表示する。通信端末１００の使用者は、そのディスプレイに表示された画像を見て、ＩＤおよびパスワードの入力が促されていることを認識する。通信端末１００の使用者が、ＩＤおよびパスワードを入力して、通信端末１００において予め規定された送信動作を実行すると、通信端末１００は、そのＩＤおよびパスワードを含む信号を発信する。テレビ１１０がその信号を受信すると、その信号からＩＤおよびパスワードを抽出し、ＩＤおよびパスワードを、ネットワーク送信するためのパケットデータに変換し、そのパケットデータをサービス提供サーバ１２０に送信する。
【００３２】
サービス提供サーバ１２０は、そのパケットからＩＤおよびパスワードを取り出して予め登録されていたＩＤおよびパスワードと認証することにより、その使用者が正当な使用者であるか否かを判定する。サービス提供サーバ１２０は、その使用者が正当な使用者であると判定すると、通信端末１００によるアクセスを受け付ける。サービス提供サーバ１２０は、送信が求められた情報コンテンツをテレビ１１０に対して、たとえばストリーム配信の形式で送信する。テレビ１１０は、その受信したデータをディスプレイに表示する。なお、情報コンテンツの配信の態様は、ストリーム配信に限られず、ビデオ・オン・デマンド（ＶＯＤ（Video on Demand））のようなダウンロード型、ＷＥＢページの表示、画像・書籍・カタログ・アニメーションのような専用コンテンツの表示、その他の態様が使用されてもよい。
【００３３】
次に、図２を参照して、サービス提供サーバ１２０にアクセスするために通信端末１００に表示されるＩＤ入力の対応について説明する。図２は、通信端末１００のディスプレイに表示される画面を表わす図である。図２に示される現象は、たとえば、次の場合に想定されるが、このような場合に限られるものではない。すなわち、（１）ＷＥＢ上のサービス（たとえば、ポータルサイトやオンラインアルバム）にて同一のサービスＩＤ（たとえば、ＵＲＬ（Uniform Resource Locator））に対して使用者が複数のＩＤ（およびパスワード）を使い分けているような場合に、（２）同一のＩＤ／パスワードにて複数のサイトの利用が可能な場合に、どのサイトへのアクセスかがわかるように、（３）ＷＥＢブラウザを起動する際に、通信端末側にてブックマークを表示して使用者が選択したＵＲＬに対応した映像をテレビに表示させる場合。
【００３４】
通信端末１００は、テレビ１１０と通信することにより、テレビ１１０によって発信されたＩＤおよびパスワードの入力を要求する信号を受信すると、ディスプレイにアクセス可能なサービス（サービス提供サーバ１２０によって提供される情報コンテンツの提供元）の一覧を表示する。
【００３５】
サービスを表わすアイコンその他の画像がディスプレイにすべて表示されないとき、次の画面を表示する指示を受け付けるキーが、ソフトウェアキーとして併せて表示される。あるいは、通信端末１００が有するボタン（図示しない）が当該キーとして機能してもよい。たとえば、図２に示される例では、通信端末１００のディスプレイには１つの画面に４つのサービスが選択可能な形式で表示される。通信端末１００の使用者が通信端末１００の操作ボタン（図示しない）を操作することにより、ディスプレイに表示されたいずれかのサービスを選択することができる。また、使用者は、表示画面をスクロールしたり、画面表示を切り替えることによりサービスを選択することも可能である。通信端末１００によってアクセス可能なサービスは、通信端末１００の使用者によって決定される。各サービスにアクセスするために過去に入力されたＩＤおよびパスワードは、そのサービスに関連付けられて通信端末１００に保存されている。通信端末１００の使用者が、いずれかのサービスを選択して、ＩＤおよびパスワードを送信する命令を与える操作を実行すると、通信端末１００は、ＩＤおよびパスワードを含む信号を発信する。
【００３６】
ここで、図３および図４を参照して、通信端末１００とテレビ１１０との通信について説明する。図３は、テレビ１１０から発信される信号３００の構成を概念的に表わす図である。信号３００は、開始ビット３１０と制御コード３２０と終了ビット３３０とを含む。開始ビット３１０は、信号３００の先頭であることを表わす。制御コード３２０は、信号３００によって通知される具体的な内容を含む。たとえば、制御コード３２０は、ＩＤの入力要求を表わす情報を含む。ここでのＩＤの入力要求とは、たとえば、ＷＥＢ表示ではＵＲＬ情報に連動した情報、テレビに搭載されたアプリケーションを特定できる情報に連動した情報などであるが、入力要求の内容はこれに限られない。その他の情報が入力要求に含まれてもよい。終了ビット３３０は、信号３００の終わりであることを表わす。
【００３７】
信号３００は、テレビ１１０によって生成される。信号３００の送信態様は、特に限られない。たとえば、信号３００は、赤外線通信、ブルートゥース（登録商標）などの規格に従って送信される。通信端末１００は、テレビ１１０から発信される電波を受信できる範囲にあるとき、信号３００を受信することができる。通信端末１００は、信号３００から、制御コード３２０を取得する。通信端末１００は、制御コード３２０からＩＤ入力要求を検知すると、内蔵するメモリからデータを読み出して、各ＩＤが予め登録されているサービスを表わす画面（図２）を表示する。通信端末１００の使用者がその表示からいずれかのサービスを選択すると、通信端末１００は、そのサービスを識別するサービスＩＤと、そのサービスの利用者としてサービス提供サーバ１２０によって与えられた利用者ＩＤと、利用者ＩＤに関連付けて使用されるパスワードとを送信する。
【００３８】
図４は、通信端末１００から発信される信号４００の構成を概念的に表わす図である。信号４００は、開始ビット４１０と、ユーザデータ４２０と、終了ビット４３０とを含む。開始ビット４１０は、信号４００の先頭であることを表わす。ユーザデータ４２０は、サービスＩＤと、利用者ＩＤと、パスワードとを含む。終了ビット４３０は、信号４００の終わりであることを表わす。
【００３９】
ユーザデータ４２０において、サービスＩＤは、通信端末１００の利用者によって選択されたサービス（すなわち情報コンテンツの提供をこれから受けようとするサービス）を識別する。この例では、サービスＩＤは、ＵＲＬおよびＵＲＬに関連したページタイトルであるが、その他のデータがサービスＩＤとして使用されてもよい。
利用者ＩＤは、そのサービスに対して情報コンテンツの提供を受ける利用者を識別する。利用者ＩＤは、サービス提供サーバ１２０によって与えられる。パスワードは、その利用者ＩＤの使用者が正当な使用者であるか否かを確認するために使用される。利用者ＩＤおよびパスワードは、たとえば、数字、文字等を含む符号として使用される。
【００４０】
テレビ１１０は、信号４００を受信すると、ユーザデータ４２０からサービスＩＤと利用者ＩＤとパスワードとを読み取る。テレビ１１０は、サービスＩＤと利用者ＩＤとパスワードとを含むパケットデータを生成する。テレビ１１０は、そのパケットデータを、インターネット１３０を介してサービス提供サーバ１２０に送信する。サービス提供サーバ１２０は、テレビ１１０から送られたそのパケットデータから、サービスＩＤと利用者ＩＤとパスワードとを取り出し、予め登録されているこれらに対応するデータと比較することにより認証処理を実行する。認証が成功すると、サービス提供サーバ１２０は、そのパケットデータによって求められた情報コンテンツの提供を開始する。
【００４１】
次に、図５から図７を参照して、本実施の形態に係るテレビ１１０の構成について説明する。図５は、テレビ１１０が有する機能の一部を表わすブロック図である。テレビ１１０は、微弱電波受信部５１０と、リモコン信号受信部５２０と、ネットワーク受信部５３０と、コンテンツデータ記憶部５４０と、放送信号受信部５５０と、制御部５６０と、リモコン信号発信部５７０と、ネットワーク送信部５８０と、表示部５９０とを備える。制御部５６０は、要求部５６２と、接続処理部５６３と、データ処理部５６４とを含む。
【００４２】
微弱電波受信部５１０は、通信端末１００によって発信される信号を受信する。リモコン信号受信部５２０は、テレビ１１０の専用のリモコン端末（図示しない）から発信される制御信号を受信する。なお、ある局面において、微弱電波受信部５１０とリモコン信号受信部５２０とは、１つの受信部として構成されてもよい。
【００４３】
微弱電波受信部５１０から出力される情報は、制御部５６０に入力される。リモコン信号受信部５２０から出力される情報は、制御部５６０に入力される。
【００４４】
ネットワーク受信部５３０は、インターネット１３０によってテレビ１１０に与えられた情報を受信する。ネットワーク受信部５３０によって受信された情報は、制御部５６０あるいはコンテンツデータ記憶部５４０に入力される。
【００４５】
コンテンツデータ記憶部５４０は、ネットワーク受信部５３０によって受信された情報（たとえば通信端末１００の使用者によって送信が求められた情報）コンテンツを格納する。
【００４６】
放送信号受信部５５０は、テレビジョン放送信号を受信する。この放送信号は、アナログ信号およびデジタル信号のいずれであってもよい。放送信号受信部５５０から出力される信号は、制御部５６０に入力される。テレビジョン放送信号は、放送信号受信部５５０にて受信されるように図示されているが、受信の態様はこれに限られない。たとえば、他の局面において、ネットワーク受信部５３０が、ＩＰ(Internet Protocol)網経由で配信されたテレビジョン信号を受信する構成であってもよい。
【００４７】
制御部５６０は、テレビ１１０に与えられる情報に基づいて、予め規定された処理を実行し、その処理の結果に応じた制御を実行する。より具体的には、要求部５６２は、通信端末１００の使用者によるサービスの提供要求に対して、そのサービスにアクセスするためのＩＤとパスワードとを要求する。要求部５６２は、その要求を表わす信号を生成し、リモコン信号発信部５７０に送出する。
【００４８】
接続処理部５６３は、微弱電波受信部５１０あるいはリモコン信号受信部５２０から送られる接続要求に基づいて、インターネット１３０を介して、サービス提供サーバ１２０との間で通信セッションを確立する。接続処理部５６３は、サービス提供サーバ１２０との通信が確立されると、通信端末１００とサービス提供サーバ１２０との間の通信を制御する。たとえば、接続処理部５６３は、サービス提供サーバ１２０によって送信された情報コンテンツをネットワーク受信部５３０を介して受信すると、その情報コンテンツを表示部５９０に表示する。あるいは、接続処理部５６３は、サービス提供サーバ１２０によって接続の遮断命令が発信されると、テレビ１１０とサービス提供サーバ１２０との通信を遮断する。あるいは、通信端末１００がサービス提供サーバ１２０との通信を遮断する命令を発信すると、接続処理部５６３は、その命令に応答してサービス提供サーバ１２０とテレビ１１０との通信を遮断する。
【００４９】
データ処理部５６４は、表示部５９０に情報コンテンツに基づく映像を表示するためのデータ処理を実行する。たとえば、データ処理部５６４は、コンテンツデータ記憶部５４０に格納されているデータを読み出して、表示部５９０における表示形式に合わせた変換処理を実行し変換後のデータを表示部５９０に送出する。あるいは、データ処理部５６４は、微弱電波受信部５１０によって受信されたＩＤおよびパスワードをパケットデータに変換し、変換後のデータをネットワーク送信部５８０に送信する。さらにデータ処理部５６４は、ネットワーク受信部５３０を介して受信したサービス提供サーバ１２０からの情報から、ユーザデータを取り出し、そのユーザデータによって特定される内容を表わす情報を表示部５９０に表示する。あるいは、データ処理部５６４は、そのユーザデータによって特定される命令を含む信号を生成し、リモコン信号発信部５７０に送出する。
【００５０】
リモコン信号発信部５７０は、制御部５６０から出力される信号をリモコン端末（図示しない）と通信可能な形式で発信する。たとえば、リモコン信号発信部５７０は、通信端末１００によって受信可能な信号の形式として、制御部５６０から与えられた信号を発信する。
【００５１】
ネットワーク送信部５８０は、制御部５６０から与えられるデータを、インターネット１３０を介して他の情報通信装置（たとえばサービス提供サーバ１２０）に送信する。表示部５９０は、制御部５６０から与えられるデータに基づいて映像を表示する。
【００５２】
図６は、テレビ１１０のハードウェア構成を表わすブロック図である。テレビ１１０は、外部入力部６０４と、受信部６０６と、操作部６０８と、ＣＰＵ（Central Processing Unit）６１０と、チューナ６１４と、切換回路６１６と、発信機６１８と、信号処理回路６２０と、表示ドライバ６２８と、ディスプレイ６３０と、アンプ６３６ａ，６３６ｂと、スピーカ６４０ａ，６４０ｂとを備える。ＣＰＵ６１０は、メモリ６１２を含む。信号処理回路６２０は、分離回路６２２と、ＯＳＤ（On Screen Display）回路６２４とを含む。チューナ６１４は、アンテナ６０２から送られた信号の入力を受け付ける。
【００５３】
チューナ６１４は、ＣＰＵ６１０からの指令に基づいて、指定されたチャンネルを選択する。チューナ６１４によって選択されたチャンネルからの信号は、切換回路６１６に送出される。
【００５４】
外部入力部６０４は、テレビ１１０の外部から、信号の入力を受け付ける。外部入力部６０４は、映像信号および／または音声信号の入力を受け付けるインターフェイスを含む。外部入力部６０４によって受け付けられた信号は、切換回路６１６に送出される。
【００５５】
切換回路６１６は、ＣＰＵ６１０からの指令に基づいて、信号の入力源をチューナ６１４と外部入力部６０４との間で切り換える。切換回路６１６から出力される信号は、信号処理回路６２０に入力される。
【００５６】
受信部６０６は、テレビ１１０の動作を制御するための制御信号を受信する。制御信号は、リモコン端末によって発信される信号を含む。受信部６０６は、たとえば赤外線信号を受信する。他の局面において、受信部６０６は、ブルートゥース（登録商標）に基づく規格に従った信号を受信してもよい。受信部６０６によって受信された信号は、ＣＰＵ６１０に送出される。なお、制御信号を受信する手段は、上記のものに限られず、他の方式で受信する構成が使用されてもよい。
【００５７】
操作部６０８は、テレビ１１０に対する操作入力を受け付ける。操作部６００は、たとえばテレビ１１０の筐体の前面に設けられたボタン、タッチパネルなどとして実現される。
【００５８】
通信Ｉ／Ｆ６７０は、テレビ１１０に接続されるインターネット１３０を介して、他の情報通信装置（たとえばサービス提供サーバ１２０）と通信する。通信Ｉ／Ｆ６７０は、テレビ１１０の外部から受信した信号をデジタルデータとしてＣＰＵ６１０に送出する。逆に、通信Ｉ／Ｆ６７０は、ＣＰＵ６１０によって与えられたデータ（たとえばパケット）をインターネット１３０に向けて送出する。
【００５９】
ＣＰＵ６１０は、テレビ１１０に予め格納されているデータおよびプログラムと、テレビ１１０に対して外部から与えられた動作命令とに基づいて、テレビ１１０について予め規定された動作を実行する。より具体的には、ＣＰＵ６１０は、テレビ１１０のリモコン端末として機能する通信端末１００によって発信された制御信号に基づいて、チューナ６１４に対してチャンネルを選択する命令を送出する。
【００６０】
他の局面において、ＣＰＵ６１０は、通信端末１００によって発信されたアクセス命令に基づいて、通信Ｉ／Ｆ６７０を介してサービス提供サーバ１２０と通信するための処理を実行する。より具体的には、ＣＰＵ６１０は、特定のサービスサイト（サービス提供サーバ１２０その他のサーバ装置において情報コンテンツを提供するサイト）にアクセスする要求を生成し、サービス提供サーバ１２０との間で通信セッションを確立する。
【００６１】
ＣＰＵ６１０は、サービス提供サーバ１２０から認証情報（利用者ＩＤとパスワード）の送信要求を受信した場合には、その要求を表わす信号を生成し、発信機６１８を介してその信号を発信する。ＣＰＵ６１０は、受信部６０６を介して、通信端末１００によって発信されたＩＤおよびパスワードを受信すると、そのＩＤおよびパスワードをパケットデータに変換し、そのパケットデータを通信Ｉ／Ｆ６７０に送信する。
【００６２】
信号処理回路６２０は、ＣＰＵ６１０によって与えられる命令に基づいて、切換回路６１６から出力された信号を映像信号と音声信号とに分離して出力する。より具体的には、信号処理回路６２０において、分離回路６２２は、ＣＰＵ６１０からの命令に従って、映像信号と音声信号とを有する放送信号を、当該映像信号と音声信号とに分離する。映像信号は、ＯＳＤ回路６２４に入力される。音声信号は、アンプ６３６ａ，６３６ｂに送出される。
【００６３】
ＯＳＤ回路６２４は、ＣＰＵ６１０からの指令に基づいて、その入力された映像信号に文字情報その他の情報を付加し、その付加によって生成された信号を出力する。ここで、ＯＳＤ回路６２４によって付加される情報は、たとえばディスプレイ６３０に表示されるチャンネル番号、メモリ６１０において予め準備されているデータに基づくメッセージ、テレビ１１０がインターネット１３０を介して接続しているサービスサイト（たとえば情報提供サーバ１２０）のＵＲＬ（Uniform Resource Locator）、そのサイトの名称などを含む。ＯＳＤ回路６２４から出力される信号は、表示ドライバ６２８に入力される。
【００６４】
表示ドライバ６２８は、ＯＳＤ回路６２４から与えられた信号を、ディスプレイ６３０による表示形式に従ったデータ形式に変換し、変換後のデータをディスプレイ６３０に送出する。ディスプレイ６３０は、その信号に基づいて画像を表示する。表示される画像は、チューナ６１４によって受信されたテレビジョン放送信号に基づく映像と、外部入力部６０４を介して入力されたデータに基づく映像と、通信Ｉ／Ｆ６７０によって受信されたデータ（すなわちサービス提供サーバ１２０によって送信された映像情報コンテンツ）に基づく映像との少なくともいずれかである。複数の画面が表示されてもよい。
【００６５】
ここで、ディスプレイ６３０は、たとえば、液晶ディスプレイ、プラズマディスプレイ、有機ＥＬ（Electro Luminescence）ディスプレイ、ＦＥＤ（Field Emission Display）ディスプレイ、ＳＥＤ（Surface-conduction Electron-emitter Display）などによって実現されるが、その他の表示装置によって実現されてもよい。
【００６６】
アンプ６３６ａ，６３６ｂは、ＣＰＵ６１０によって与えられる命令に基づいて、分離回路６２２から送られた音声信号を増幅し、増幅後の信号をスピーカ６４０ａ，６４０ｂにそれぞれ送出する。スピーカ６４０ａ，６４０ｂは、その信号に基づいて音声を出力する。
【００６７】
記憶装置６６０は、テレビ１１０に与えられたデータを不揮発的に保持する。記憶装置６６０は、たとえばハードディスク、フラッシュメモリなどの固定記憶装置として実現される。また、他の局面において、記憶装置６６０は、メモリカード、ＤＶＤ（Digital Versatile Disc）その他の着脱可能な記録媒体としても実現され得る。さらに、記憶装置６６０は、他の局面において、通信端末１００に固有なデータを格納してもよい。また、記憶装置６６０は、通信端末１００によって発信されたサービスサイトに固有な登録者ＩＤおよびパスワードを通信端末１００の識別データとともに格納してもよい。
【００６８】
そこで、図７を参照して、本実施の形態に係るテレビ１１０のデータ構造について説明する。図７は、記憶装置６６０におけるデータの格納の一態様を概念的に表わす図である。記憶装置６６０は、データを格納するための複数のメモリ領域を含む。
【００６９】
より具体的には、ファームウェアは、メモリ領域７１０に格納されている。ファームウェアは、テレビ１１０を作動させるために予めテレビ１１０の製造者によって準備されたソフトウェアである。
【００７０】
リモコン通信プログラム７２０は、テレビ１１０と通信機能を有するリモコン端末（たとえば通信端末１００）との間で通信処理を実現する。リモコン通信プログラムは、テレビ１１０の製造者によって予め与えられる。ある局面においては、リモコン通信プログラム７２０の実行中は、テレビ１１０は、リモコン端末から発信される制御信号を受信する。他の局面において、テレビ１１０は、特定の内容を有する信号を発信する。この信号は、たとえば、利用者ＩＤおよびパスワードの入力要求を含む。
【００７１】
ネットワーク通信プログラムは、メモリ領域７３０に格納されている。ネットワーク通信プログラムは、テレビ１１０との他の情報通信装置（たとえばサービス提供サーバ１２０）との通信処理を実現する。ネットワーク通信プログラムが使用する通信プロトコルは、たとえばＴＣＰ／ＩＰ（Transmission Control Protocol/Internet Protocol）などであるが、これに限られず、他の通信プロトコルが使用されてもよい。
【００７２】
次に、図８から図１０を参照して、本実施の形態に係る通信端末１００の構成について説明する。図８は、通信端末１００が有する機能の一部を表わすブロック図である。通信端末１００は、通話部８１０と、入力部８２０と、記憶部８３０と、信号受信部８４０と、制御部８５０と、発信部８６０と、表示部８７０とを備える。制御部８５０は、制御信号生成部８５１と、検索部８５２と、選択部８５３と、発信制御部８５４と、暗号化部８５５と、検出部８５６とを含む。
【００７３】
ここで、以下の説明では、通信端末１００は携帯電話として実現される場合について説明する。なお、通信端末１００は、携帯電話以外にもたとえばＰＤＡ、その他の携帯通信端末としても実現される。
【００７４】
通話部８１０は、基地局（図示しない）によって発信された電波を受信して、その電波に基づく音声を出力するとともに、通信端末１００に対して発話された音声に基づいて信号を発信する。その発信された信号が基地局によって受信されると、通信端末１００は携帯電話として機能する。
【００７５】
入力部８２０は、通信端末１００に対する操作入力を受け付ける。ある局面において、入力部８２０は、テンキーその他のボタンとして実現される。他の局面において、入力部８２０は、タッチパネル式の操作部としても実現される。入力部８２０から出力される信号は、制御部８５０に入力される。
【００７６】
記憶部８３０は、通信端末１００に与えられたデータと、通信端末１００において生成されたデータとを格納する。記憶部８３０に格納されるデータは、通話部８１０によって使用される電話番号、電子メールのアドレスその他の通信のための情報、通信端末１００の使用者を特定するためのＩＤ、サービス提供サーバ１２０によって提供される情報コンテンツの提供元であるサービスサイトを特定するデータ（ＵＲＬ）、利用者ＩＤ、およびパスワードを含む。
【００７７】
信号受信部８４０は、テレビ１１０によって発信された信号を受信する。ある局面において、信号受信部８４０は、赤外線信号を受信する。他の局面において、信号受信部８４０は、ブルートゥース（登録商標）規格に従う信号を受信するためのアンテナと、当該アンテナによって受信された信号を処理するためのフロントエンド回路とを含む。信号受信部８４０から出力されるデータは、制御部８５０に与えられる。
【００７８】
制御部８５０において、制御信号生成部８５１は、入力部８２０から出力された信号に基づいて、テレビ１１０の動作を制御するための信号を生成する。その信号は、テレビ１１０におけるチャンネルの選択命令、インターネット１３０に接続してサービス提供サーバ１２０その他の情報提供装置にアクセスするための命令などを含む。制御信号生成部８５１によって生成された信号は、発信部８６０に与えられる。
【００７９】
検索部８５２は、記憶部８３０に格納されているデータを、与えられた検索キーに従って検索する。より具体的には、検索部８５２は、サービス提供サーバ１２０によって提供される情報コンテンツその他のサービスを識別するサービスＩＤと、そのサービスサイトにアクセスするために予め提供者によって割り当てられた利用者ＩＤと、パスワードとを記憶部８３０から読み出す。検索部８５２は、入力部８２０から与えられる選択命令に従って、特定のアクセスデータを検索する。たとえば、入力部８２０が表示部８７０に表示されるカーソルキーを上下させるためのボタンを含む場合、検索部８５２は、そのキーに対して与えられる命令に従って当該アクセスデータを検索する。
【００８０】
選択部８５３は、入力部８２０によって受け付けられた選択操作に従って、検索部８５２によって検索された複数のアクセスデータから、特定のアクセスデータを選択する。たとえば、選択部８５３は、選択操作が与えられたアクセスデータに予め規定されたフラグを付することにより、当該アクセスデータを選択する。
【００８１】
発信制御部８５４は、発信部８６０に、選択部８５３によって選択された当該アクセスデータを発信させる。より具体的には、発信制御部８５４は、そのアクセスデータを構成するサービスＩＤと利用者ＩＤとパスワードとを含む信号（図４における信号４００）を生成し、その信号を発信部８６０に発信させる。
【００８２】
暗号化部８５５は、発信部８６０によって発信される信号あるいは通話部８１０によって発信される信号を暗号化する。暗号化部８５５による暗号化の形式は特に限られない。なお、暗号化部８５５は、通信端末１００に必須の構成ではない。したがって、たとえば、通信内容の秘密を保持する必要がない場合そのた必要がない場合には、暗号化部８５５は、なくてもよい。
【００８３】
なお、暗号化される情報の一例として、通信端末１００に保存されている個人データ（電話番号、住所、生年月日、クレジット番号など）、おサイフケータイなどで使用される課金情報、通信端末１００に搭載されている生体認証機能のための認証データ（たとえば、指紋、網膜の特徴量等）等があげられる。
【００８４】
検出部８５６は、信号受信部８４０からのデータに基づいて、アクセスデータの送信要求を検出する。この送信要求はテレビ１１０によって発信されたものである。検出部８５６は、その要求を検出すると、検索部８５２に対して、当該アクセスデータの検索要求を送出する。
【００８５】
発信部８６０は、テレビ１１０に命令を与えるための信号を発信する。ある局面において、発信部８６０は、テレビ１１０の動作を制御するリモコン信号を発信する。他の局面において、発信部８６０は、通信端末１００がサービス提供サーバ１２０と通信するための情報を発信する。発信部８６０は、その信号をたとえば赤外線信号として発信する。他の局面において、発信部８６０は、ブルートゥース（登録商標）に従う信号として発信する。
【００８６】
表示部８７０は、文字、画像、その他の情報を表示する。表示部８７０は、たとえば液晶表示装置、有機ＥＬディスプレイとして実現される。表示部８７０は、通信端末１００の状態を表わす画面を表示する。たとえば、検出部８５６がアクセスデータの送信要求をテレビ１１０から受信したことを検出すると、表示部８７０は、そのことを表わす画面を表示する。検索部８５２がその要求に応じてアクセスデータの候補を検索すると、表示部８７０は、その検索された少なくとも１つ以上のアクセスデータを表示する。表示部８７０が、検索されたアクセスデータを表示領域に一度に表示できないとき、表示部８７０は、画面を切り換える操作入力を受け付けるソフトウェアキーもさらに表示する。
【００８７】
他の局面において、表示部８７０は、テレビ１１０に対して送られるデータの入力を受け付けるための画面を表示する。この画面は、たとえばテレビ１１０に対して設けられる暗証番号あるいはサービス提供サーバ１２０へのアクセスのために設けられる暗証番号、パスワードなどの入力を受け付ける画面を含む。さらに他の局面に従う通信端末は、複数の表示部を含むものであってもよい。この場合、当該通信端末の制御部は、画像が表示される表示部を選択する機能、選択された表示部のためのデータを出力する機能（たとえば、ビデオメモリへのデータの書き込み）を有することになる。
【００８８】
図９は、通信端末１００のハードウェア構成を表わすブロック図である。通信端末１００は、通信装置９０２と、受信部９０４と、アンテナ９０８と、ＣＰＵ９１０と、操作ボタン９２０と、カメラ９４０と、フラッシュメモリ９４４と、ＲＡＭ（Random Access Memory）９４６と、データ用ＲＯＭ（Read Only Memory）９４８と、ディスプレイ９５０と、リモコン信号発信部９６０と、音声信号処理回路９７０と、マイク９７２と、スピーカ９７４と、ＬＥＤ（Light Emitting Diode）９７６と、データ通信Ｉ／Ｆ（Interface）９７８と、メモリカード駆動装置９８０と、バイブレータ９８４とを備える。メモリカード駆動装置９８０には、メモリカード９８２が装着可能である。
【００８９】
アンテナ９０８は、基地局によって発信された電波を受信し、その電波から生成された信号を通信装置９０２に送出する。通信装置９０２は、その信号を通信端末１００における内部の処理に適合した形式に変換し、ＣＰＵ９１０に変換後の信号を送出する。逆に、通信端末１００が発話に応じた音声信号を発信する場合、通信装置９０２は、ＣＰＵ９１０から出力されるデータを用いて無線送信用の信号に変換し、アンテナ９０８を介して変換後の信号を発信する。
【００９０】
受信部９０４は、微弱な電波（たとえば赤外線信号、ブルートゥース（登録商標）に従って発信された信号）を受信する。微弱な電波は、たとえばテレビ１１０によって発信される。受信部９０４によって受信された信号は、ＣＰＵ９１０に送出される。
【００９１】
ＣＰＵ９１０は、通信端末１００に対して与えられる指示に基づいて、当該指示に応じた制御を実行する。より具体的には、ＣＰＵ９１０は、通信端末１００による電話の発信または着信時における動作を制御する。他の局面において、ＣＰＵ９１０は、テレビ１１０の動作を制御するリモコン信号を発信するための処理を実行する。さらに他の局面において、ＣＰＵ９１０は、テレビ１１０がサービス提供サーバ１２０と通信する命令を与え、サービス提供サーバ１２０によって要求されたデータを送信する。
【００９２】
操作ボタン９２０は、通信端末１００の筐体の表面に配置されている。操作ボタン９２０は、テンキーその他のボタンを含む。操作ボタン９２０は、通信端末１００に対する操作入力を受け付けて、その操作入力に応じた信号をＣＰＵ９１０に送出する。ＣＰＵ９１０は、その信号に基づいて特定の処理を実行し、操作されたボタンに対して割り当てられている機能を実現する。より具体的には、通信端末１００が携帯電話として機能する場合には、操作ボタン９２０に対して与えられた数字の入力は、電話を発信するためのダイヤル操作として検知される。
【００９３】
他の局面において、通信端末１００がテレビ１１０を制御するリモコン端末として機能する場合には、操作ボタン９２０に対して与えられた入力は、リモコン信号発信部９６０を介して外部に発信される命令を規定する。より具体的には、テレビ１１０が利用者ＩＤとパスワードとの入力を要求している場合には、操作ボタン９２０に対する操作に従って、通信端末１００から発信可能な候補となる利用者ＩＤおよびパスワードを選択可能な形式（たとえば現在選択されているがその選択が確定していない状態）を表わす表示をディスプレイ９５０に実行させる。
【００９４】
なお、通信端末１００における操作入力を受け付ける手段は、操作ボタン９２０に限られない。たとえばタッチパネル式の操作部あるいはジョグダイヤルその他の入力装置が使用されてもよい。
【００９５】
カメラ９４０は、操作ボタン９２０に対する操作に応答して、予め規定された撮影モードに基づいて被写体を撮影する。その撮影によって生成される画像信号は、ＣＰＵ９１０に送出される。ＣＰＵ９１０は、画像処理機能を有している場合には、その画像信号に対して予め準備された画像処理（たとえば２値化処理、濃淡処理、エッジ強調処理など）を実行する。ＣＰＵ９１０は、その処理後のデータをＲＡＭ９４６あるいはフラッシュメモリ９４４に格納する。
【００９６】
フラッシュメモリ９４４は、通信端末１００によって受信されたデータとＣＰＵ９１０によって生成されたデータとを格納する。格納されるデータは、通信端末１００がリモコン端末として機能した場合における制御信号の履歴、制御の対象となる装置（たとえばテレビ１１０）その他の装置を識別するデータ、テレビ１１０などから受信した信号に含まれる情報（たとえばサービス提供サーバ１２０その他の情報提供装置を特定するＵＲＬなど）を含む。
【００９７】
また、他の局面において、フラッシュメモリ９４４は、サービス提供サーバ１２０にアクセスした履歴を格納してもよい。当該履歴は、たとえば、サイトＩＤとアクセス日時とを含む。
【００９８】
ＲＡＭ９４６は、ＣＰＵ９１０によって生成されたデータを一時的に保持する。一時的に保持されるデータは、たとえばディスプレイ９５０に画像を表示するためのデータを含む。
【００９９】
データ用ＲＯＭ９４８は、通信端末１００を構成するために予め入力されたデータを格納する。当該データは、たとえば、通信端末１００に固有な製造番号、ＣＰＵ９１０が実行するファームウェア、アプリケーションプログラムその他のソフトウェア等を含む。
【０１００】
ディスプレイ９５０は、文字、数字、映像その他の画像を表示する。ある局面において、ディスプレイ９５０は、カメラ９４０によって撮影された被写体の画像を表示する。他の局面において、ディスプレイ９５０は、受信部９０４によって受信された信号に基づいて画像を表示する。この画像は、たとえば特定のサービスサイトにアクセスするために入力が要求される利用者ＩＤとパスワードの入力を促す画面である。あるいは、他の局面において、ディスプレイ９５０は、ＣＰＵ９１０によって検索されたサービスサイト、利用者ＩＤ、パスワードなどのアクセス情報の一覧を表示する。
【０１０１】
マイク９７２は、通信端末１００に対する発話を受け付けて、当該発話に応じた信号を音声信号処理回路９７０に送出する。スピーカ９７４は、音声信号処理回路９７０から出力される信号に基づいて音声を出力する。音声信号処理回路９７０は、ＣＰＵ９１０から出力されるデジタルデータを音声信号に変換する。他の局面において、音声信号処理回路９７０は、マイク９７２によって与えられる音声信号をデジタルデータに変換し、ＣＰＵ９１０にそのデータを送出する。
【０１０２】
ＬＥＤ９７６は、ＣＰＵ９１０から出力される発行命令に基づいて発光する。ＬＥＤ９７６は、１色の発光素子として構成されてもよいし、複数色の発光素子（たとえばＲＧＢ（Red Green Blue））として構成されてもよい。
【０１０３】
データ通信Ｉ／Ｆ９７８は、通信端末１００に対するケーブル（図示しない）の装着を受け付けて、当該ケーブルを介してデータ通信を実行する。データ通信Ｉ／Ｆ９７８は、たとえばＵＳＢ（Universal Serial Bus）ケーブルその他の通信規格に従ったケーブルの接続を受け付ける。
【０１０４】
メモリカード駆動装置９８０は、ＣＰＵ９１０による指令に従って、装着されているメモリカード９８２にアクセスし、メモリカード９８２にデータを書き込む。他の局面において、メモリカード駆動装置９８０は、ＣＰＵ９１０からの指令に従って、メモリカード９８２からデータを読み出す。
【０１０５】
バイブレータ９８４は、ＣＰＵ９１０から出力されるデータに基づいて、予め規定された周期または振動パターンに従って振動する。
【０１０６】
なお、他の局面に従う通信端末は、ＲＦＩＤ（Radio Frequency Identification）機能を有していてもよい。この場合、当該通信端末は、無線通信機能を実現するためのタグを有することになる。タグは、データとして、当該通信端末の使用者のＩＤ、パスワード等を格納している。通信端末が、決裁機能を有する携帯電話として機能する場合、タグは、さらに金額データを保持可能である。タグは、電波や電磁波で読み取り器と交信する。当該読み取り器は、テレビ１１０に接続されるリーダ、あるいは、テレビ１１０に内蔵されるリーダである。
【０１０７】
この場合、使用者が、通信端末をテレビ１１０に近づけると、ＩＤとパスワードとがテレビ１１０によって読み取られて、アクセスのための認証が行なわれる。
【０１０８】
タグは、通信端末のバッテリ（図示しない）から電力の供給を受ける。あるいは、タグは、読み取り器から受信する信号から電力の供給を受けてもよい。具体的には、タグが内蔵するアンテナを介して、いわゆる「非接触電力伝送技術」を用いて、通信端末の外部から電力の供給を受けてもよい。この場合、ＲＦＩＤ機能のための電池が不要になる。なお、タグの形状には、ラベル型、カード型、コイン型、スティック型などがあるが、通信端末に装着可能なものであればよい。タグによる通信距離は、ＲＦＩＤ機能の用途に応じて、数ｍｍ程度のものから数ｍのものが選択可能である。
【０１０９】
図１０は、通信端末１００が備えるフラッシュメモリ９４４におけるデータの格納の一態様を概念的に表わす図である。フラッシュメモリ９４４は、データを格納するための複数のメモリ領域を含む。
【０１１０】
サービスＩＤ（たとえば、ＵＲＬ）は、メモリ領域１０１０に格納されている。サービスＩＤは、サービス提供サーバ１２０その他の情報通信装置によって提供される情報コンテンツの提供元を識別する。サービスＩＤは、操作ボタン９２０に対する操作入力に従って、あるいは受信部９０４または通信装置９０２を介して受信されるデータから取得される。たとえば通信端末１００がサービス提供サーバ１２０と直接通信する場合、サービスＩＤは、通信装置９０２を介してサービス提供サーバ１２０から直接取得される。また他の局面において、通信端末１００がテレビ１１０を介してサービス提供サーバ１２０と通信する場合には、サービスＩＤは、受信部９０４によって受信される信号（テレビ１１０に発信される信号）から取得される。
【０１１１】
利用者ＩＤは、メモリ領域１０２０に格納される。利用者ＩＤは、サービスＩＤの利用者としてそのサービスを提供するサイトによって予め割り当てられる。利用者ＩＤは、通信装置９０２または受信部９０４によって受信される信号から取得される。
【０１１２】
パスワードは、メモリ領域１０３０に格納される。パスワードは、利用者ＩＤ（メモリ領域１０２０）のデータが正当なデータであるか否かを認証するために使用される。パスワードは、通信装置９０２または受信部９０４によって受信されるデータから取得される場合がある。また他の局面において、パスワードとして取得されたデータは、操作ボタン９２０に対する操作に従って変更されてもよい。
【０１１３】
最終アクセス日時は、メモリ領域１０４０に格納される。最終アクセス日時は、当該サイトに最後にアクセスされた日時を表わす。このデータは、通信装置９０２または受信部９０４から送られるデータに基づいて取得される。
【０１１４】
有効期限を表わすデータは、メモリ領域１０５０に格納される。このデータは、当該サービスのサイトの運営者によって、利用者ＩＤとともに割り当てられる。また他の局面において、変更後の有効期限が、当該サービスの利用中に割り当てられる場合もある。これらのデータは、受信部９０４あるいは通信装置９０２によって受信されるデータから取得される。
【０１１５】
また、暗証番号は、メモリ領域１０６０に格納されている。リモコンアプリケーションは、メモリ領域１０７０に格納されている。通信プログラムは、メモリ領域１０８０に格納されている。ファームウェアは、メモリ領域１０９０に格納されている。
【０１１６】
暗証番号は、通信端末１００の使用者が正当な使用者（すなわち予め登録された使用者）であるか否かを判定するために、予めその使用者によって入力される。リモコンアプリケーションは、通信端末１００をテレビ１１０その他の機器のリモコン端末として機能させるための処理を実行する。リモコンアプリケーションがＣＰＵ９１０によって実行されると、通信端末１００は、その特定の機器を制御するための信号を生成し発信することができる。
【０１１７】
通信プログラムは、通信装置９０２あるいは受信部９０４を介して他の情報通信装置と通信するための処理を実現する。ＣＰＵ９１０が通信プログラムを実行すると、通信端末１００は、たとえば情報提供サーバ１２０と直接にあるいはテレビ１１０を介して間接に通信することができる。ファームウェアは、通信端末１００の各ハードウェアについて予め規定された動作を実行するための処理を実現する。ファームウェアは、当業者にとって容易に理解できるものである。したがって、詳細な説明は繰り返さない。
【０１１８】
次に、図１１を参照して、本実施の形態に係るコンテンツ出力システム１００の制御構造について説明する。図１１は、通信端末１００とテレビ１１０とサービス提供サーバ１２０とが実行する一連の動作の一部を表わすフローチャートである。
【０１１９】
ステップＳ１１０２にて、通信端末１００のＣＰＵ９１０は、操作ボタン９２０に対する操作に基づいて、リモコンアプリケーションの利用の開始を検知する。ＣＰＵ９１０は、その検知に応答して、フラッシュメモリ９４４に格納されているアプリケーションプログラムを実行し、通信端末１００をテレビ１１０のリモコン端末として機能させる。通信端末１００の利用者が、操作ボタン９２０に対して特定の操作を実行すると、ＣＰＵ９１０は、その操作に応じた信号を生成する。通信端末１００は、リモコン信号発信部９６０から、その信号を発信する。
【０１２０】
ステップＳ１１１０にて、テレビ１１０は、その信号を受信すると、その信号によって規定される動作を実行する。たとえば、通信端末１００がサービス提供サーバ１２０にアクセスするための操作命令に応じた信号を出力すると、テレビ１１０はその信号に応じてサービスメニューの一覧を表示する。
【０１２１】
ステップＳ１１１２にて、テレビ１１０のＣＰＵ６１０は、受信部６０６を介して受信した通信端末１００からの信号に基づいて、サービス提供サーバ１２０によって提供されるサービスサイトの利用の開始を検知する。ＣＰＵ６１０は、その検知に応答して、サービスサイトに対するアクセスの要求を生成する。ＣＰＵ６１０は、その要求をパケットデータとして、通信Ｉ／Ｆ６７０を介してサービス提供サーバ１２０に送信する。
【０１２２】
サービス提供サーバ１２０は、その要求に応答して、特定のサービスにアクセスするために割り当てたアクセスデータ（サービスＩＤと利用者ＩＤとパスワード（ＰＷ））の要求を、テレビ１１０に送信する。
【０１２３】
ステップＳ１１１６にて、テレビ１１０のＣＰＵ６１０は、この送信要求を受信すると、そのデータをメモリ６１２に書き込み、特定のデータ項目を取得するための解析処理を実行する。より具体的には、ＣＰＵ６１０は、サービス提供サーバ１２０から受信したパケットから、サービスＩＤとそのサイトにアクセスする場合に利用者ＩＤが求められていることを表わす情報とを取得する。ステップＳ１１１８にて、ＣＰＵ６１０は、その解析結果に基づいて、サイトＩＤと利用者ＩＤとパスワードとの入力を要求するデータを生成する。テレビ１１０は、発信機６１８から、その信号を発信する。通信端末１００がテレビ１１０から発信される電波を受信できる範囲に存在している場合、通信端末１００は、その信号を受信する。
【０１２４】
ステップＳ１１２０にて、ＣＰＵ６１０は、その要求を表わす信号の受信に応答して、利用者ＩＤとパスワードとが通信端末１００２登録されているか否かを判定する。より具体的には、ＣＰＵ９１０は、フラッシュメモリ９４４その他の記憶装置を参照して、その信号に含まれるサービスＩＤとそのサービスＩＤに関連付けられている利用者ＩＤおよびパスワードが格納されているか否かを判定する。ＣＰＵ９１０は、その利用者ＩＤおよびパスワードが登録されていると判定すると（ステップＳ１１２０にてＹＥＳ）、制御をステップＳ１１３０に切り換える。そうでない場合には（ステップＳ１１２０にてＮＯ）、ＣＰＵ９１０は、制御をステップＳ１１５０に切り換える。
【０１２５】
ステップＳ１１３０にて、ＣＰＵ９１０は、フラッシュメモリ９４４から一覧データを読み出して、そのデータをディスプレイ９５０に出力する。ディスプレイ９５０は、アクセスの際に利用者ＩＤおよびパスワードが要求されるサービスサイトの一覧を表示する（図２）。
【０１２６】
ステップＳ１１３２にて、ＣＰＵ９１０は、操作ボタン９２０から与えられる信号に基づいて、ディスプレイ９５０に表示されているアクセスデータの候補の選択を検知する。ＣＰＵ９１０は、その選択されたサービスＩＤと利用者ＩＤとパスワードとをＲＡＭ９４６において確保したワーク領域に一時的に書き込む。
【０１２７】
ステップＳ１１３４にて、ＣＰＵ９１０は、ディスプレイ９５０に対して命令を送出することにより、パスワードの入力を促す画面を表示する。ＣＰＵ９１０は、その画面の表示後、操作ボタン９２０に対する操作に基づいて、パスワードの入力を受け付ける。ここで、パスワードは、通信端末１００の使用者を制限するために当該使用者が予め設定した暗証番号（メモリ領域１０６０）である。
【０１２８】
ステップＳ１１４０にて、ＣＰＵ９１０は、通信端末の利用者の認証が正しく行なわれたか否かを判定する。より具体的には、ＣＰＵ９１０は、操作ボタン９２０に対する操作によって与えられたパスワードと、フラッシュメモリ９４４において予め入力されているパスワードとを比較することにより、現在の通信端末１００の使用者が正当な使用者であるか否かを判定する。ＣＰＵ９１０は、通信端末１００の使用者が正当な使用者であると判定すると（ステップＳ１１４０にてＹＥＳ）、制御をステップＳ１１４２に切り換える。そうでない場合には（ステップＳ１１４０にてＮＯ）、ＣＰＵ９１０は、制御をステップＳ１１３４に戻す。なお、通信端末１００の使用者が正当な使用者であるか否かの判定には、通信端末１００に格納された暗証番号（メモリ領域１０６０）が使用されたが、その他のデータが使用されてもよい。たとえば、顔認証、指紋認証その他の生体認証によって通信端末自身がその所有者を判別する手段のように、正当な使用者を判別できる手段であればよい。
【０１２９】
ステップＳ１１４２にて、通信端末１００はサービスＩＤと利用者ＩＤとパスワードとをテレビ１１０に送信する。より具体的には、ＣＰＵ９１０は、ＲＡＭ９４６のワーク領域に一時的に書き込んだデータを用いて信号４００（図４）を生成する。通信端末１００は、リモコン信号発信部９６０から信号４００を発信する。テレビ１１０が通信端末１００から発信される電波を受信できる範囲にある場合には、その信号４００は、テレビ１１０によって受信される。
【０１３０】
ステップＳ１１４４にて、テレビ１１０は、サービスＩＤと利用者ＩＤとパスワードとをサービス提供サーバ１２０に送信する。より具体的には、ＣＰＵ６１０は、受信部６０６を介して信号４００を受信する。ＣＰＵ６１０は、信号４００からサービスＩＤと利用者ＩＤとパスワードとを取得し、その取得した各データをメモリ６１２に確保した領域に書き込む。ＣＰＵ６１０は、その各データを用いてパケットデータを生成し、そのパケットデータを通信Ｉ／Ｆ６７０を介してそのサービスサイト（サービス提供サーバ１２０）に送信する。テレビ１１０とサービス提供サーバ１２０との間の通信セッションが維持されている場合には、サービス提供サーバ１２０は、テレビ１１０によって発信されたそのパケットデータを受信することができる。
【０１３１】
ステップＳ１１４６にて、サービス提供サーバ１２０は、テレビ１１０から送られたデータに基づいてサービスの利用者を認証する。サービス提供サーバ１２０は、正当な利用者を認識すると、その利用者に対して情報コンテンツの提供を開始する。より具体的には、サービス提供サーバ１２０は、当該サービスの提供を受ける利用者として予め登録された利用者ＩＤとパスワードとを記憶装置（図示しない）から読み出し、その読み出した利用者ＩＤおよびパスワードと、テレビ１１０によって送信された利用者ＩＤおよびパスワードと比較する。これらの利用者ＩＤおよびパスワードが一致すると、サービス提供サーバ１２０は、サービスＩＤによって特定される情報コンテンツを当該記憶装置から読み出して、たとえばストリーム配信の形式でその情報コンテンツをテレビ１１０に配信する。
【０１３２】
テレビ１１０は、通信Ｉ／Ｆ６７０を介してそのストリームデータを受信すると、その信号を信号処理回路６２０に送出する。信号処理回路６２０が、映像信号を表示ドライバ６２８に対して出力し、そして、音声信号をアンプ６３６ａ，６３６ｂに出力すると、ディスプレイ６３０は、その指定されたサービスに対応する映像を表示する。スピーカ６４０ａ，６４０ｂは、当該情報コンテンツに付随する音声を出力する。
【０１３３】
ステップＳ１１５０にて、テレビ１１０は、受信部６０６を介して受信した信号に基づいてその信号の発信源を特定する。より具体的には、ＣＰＵ６１０は、受信部６０６から送られる信号から、その信号の送信者を表わすデータを読み取り、そのデータに基づいて当該信号の発信源を特定する。ＣＰＵ６１０は、信号の発信源が通信端末１００であると特定すると、利用者ＩＤおよびパスワードの入力を促す要求を、発信機６１８を介して発信する。一方、ＣＰＵ６１０は、その信号の発信源がテレビ１１０に固有なリモコン端末（図示しない）であると判定すると、ディスプレイ６３０に、サービスＩＤと利用者ＩＤとパスワードとの入力を受け付けるための画面を表示させる。
【０１３４】
ステップＳ１１５２にて、通信端末１００は、テレビ１１０から発信された信号を受信すると、ディスプレイ９５０にサービスＩＤと利用者ＩＤとパスワードとの入力を受け付ける画面を表示する。
【０１３５】
ステップＳ１１５４にて、ＣＰＵ９１０は、操作ボタン９２０を介して、サービスＩＤと利用者ＩＤとパスワードとの入力を受け付ける。ＣＰＵ９１０は、テレビ１１０によって要求されたサービスＩＤと利用者ＩＤとパスワードとが取得されたと判定すると、それらのデータを含む信号４００を生成し、リモコン信号発信部９６０を介して信号４００を送信する。
【０１３６】
ステップＳ１１５６にて、テレビ１１０において、ＣＰＵ６１０は、ディスプレイ６３０に対してサービスＩＤと利用者ＩＤとパスワードとの入力を受け付ける画面を表示させる。通信端末１００がネットワークに接続されており、使用者が、テレビ１１０に付属のリモコン端末を操作している場合は、テレビ１１０の使用者がリモコン端末を操作してサービスＩＤと利用者ＩＤとパスワードとを入力すると、それらのデータはリモコン端末によってリモコン信号の１つとして発信される。詳細は、図１２を参照して説明する。テレビ１１０の受信部６０６がその信号を受信すると、ＣＰＵ６１０は、その信号から、サービスＩＤと利用者ＩＤとパスワードとを取得し、メモリ６１２にこれらのデータを格納する。
【０１３７】
ステップＳ１１６０にて、ＣＰＵ６１０は、サービスＩＤと利用者ＩＤとパスワードとを有するパケットデータを生成する。ＣＰＵ６１０は、そのパケットデータを通信Ｉ／Ｆ６７０を介してサービス提供サーバ１２０に送信する。
【０１３８】
ステップＳ１１６２にて、サービス提供サーバ１２０は、テレビ１１０から送信されたそのパケットデータから、サービスＩＤと利用者ＩＤとパスワードとを取得する。サービス提供サーバ１２０のＣＰＵ（図示しない）は、予め登録してあるサービスＩＤと利用者ＩＤとパスワードとを比較することにより、アクセスを要求している利用者を認証する。サービス提供サーバ１２０は、サービスＩＤと利用者ＩＤとパスワードとを含むパケットデータの送信元が正当であると判定すると、送信が求められた情報コンテンツの提供（サービスの提供）を開始する。たとえば、サービス提供サーバ１２０は、情報コンテンツをストリーム形式あるいはファイルの形でテレビ１１０に送信する。
【０１３９】
ステップＳ１１７０にて、テレビ１１０のＣＰＵ６１０は、サービス提供サーバ１２０に送信されたサービスＩＤと利用者ＩＤとパスワードとを保存するか否かを判定する。この判定は、たとえば操作部６０８に対する操作に基づいて、あるいは受信部６０６によって受信される信号に含まれる命令に基づいて行なわれる。ＣＰＵ６１０は、サービスＩＤと利用者ＩＤとパスワードとを保存すると判定すると（ステップＳ１１７０にてＹＥＳ）、制御をステップＳ１１７２に切り換える。そうでない場合には（ステップＳ１１７０にてＮＯ）、ＣＰＵ６１０は、制御を終了する。
【０１４０】
ステップＳ１１７２にて、ＣＰＵ６１０は、サービスＩＤと利用者ＩＤとパスワードとを保存する要求を表わす信号を生成する。テレビ１１０は、その信号を発信機６１８を介して発信する。通信端末１００がテレビ１１０によって発信された信号を受信可能な範囲に存在するとき、通信端末１００は、その信号を受信できる。
【０１４１】
ステップＳ１１８０にて、通信端末１００のＣＰＵ９１０は、サービスＩＤと利用者ＩＤとパスワードとを保存するか否かを判定する。この判定は、たとえば操作ボタン９２０に対する操作に基づいて、あるいは、外部からこれらのデータが与えられたときに保存する設定になっているか否かに基づいて、行なわれる。ＣＰＵ９１０は、サービスＩＤと利用者ＩＤとパスワードとを保存すると判定すると（ステップＳ１１８０にてＹＥＳ）、制御をステップＳ１１８２に切り換える。そうでない場合には（ステップＳ１１８０にてＮＯ）、ＣＰＵ９１０は、制御を終了する。
【０１４２】
ステップＳ１１８２にて、ＣＰＵ９１０は、サービスＩＤと利用者ＩＤとパスワードとをフラッシュメモリ９４４に格納する。より具体的には、これらのデータが操作ボタン９２０に対する操作に基づいて入力されているときには、その入力の際にＲＡＭ９４６に格納されていたデータをフラッシュメモリ９４４に転送することにより保存する。一方、通信端末１００がテレビ１１０によって発信された信号を受信部９０４を介して受信したとき（ステップＳ１１７２）、ＣＰＵ９１０は、その受信した信号の中からサービスＩＤと利用者ＩＤとパスワードとを取得し、その取得したデータをフラッシュメモリ９４４に格納する。
【０１４３】
以上のような構造を有するコンテンツ出力システム１０によると、通信端末１００は、情報コンテンツを提供するサービスを識別するデータと、当該サービスにアクセスするために必要なデータとして利用者ＩＤおよびパスワードとを有している（図１０）。通信端末１００の使用者は、情報コンテンツの提供元であるサービスを選択する。通信端末１００は、その選択結果に基づいて、利用者ＩＤおよびパスワードの送信を要求しているサービスを特定する。通信端末１００は、そのサービスを特定すると、そのサービスに関連付けられている利用者ＩＤおよびパスワードを検索して、利用者ＩＤおよびパスワードを含む信号を発信する。
【０１４４】
テレビ１１０は、その信号を受信すると、利用者ＩＤおよびパスワードを取得する。テレビ１１０は、その利用者ＩＤおよびパスワードを、サービス提供サーバ１２０に送信する。
【０１４５】
サービス提供サーバ１２０は、その利用者ＩＤおよびパスワードを受信すると、認証処理を実行する。その受信された利用者ＩＤおよびパスワードが正当な利用者ＩＤおよびパスワードであるとき、サービス提供サーバ１２０は、当該利用者に求められた情報コンテンツを配信する。
【０１４６】
このようにすると、通信端末１００の使用者は、特定のサービスにアクセスして情報コンテンツの提供を受ける際に、そのサービスに固有な利用者ＩＤおよびパスワードを入力する必要がない。したがって、たとえば利用者ＩＤあるいはパスワードの誤入力が発生しなくなり、使用者が望むサービスにアクセスすることができる。
【０１４７】
その結果、本実施の形態に係る通信端末１００によると、情報コンテンツの提供を受けるために必要なデータの入力支援が実現される。
【０１４８】
なお、特定の使用者以外の使用者による不正な使用を防ぐために、サービスの履歴を表示する動作の前に、通信端末１００の使用者本人の認証を行なってもよい。このようにすると、たとえば通信端末１００をうっかり置き忘れた場合のように、当該使用者が意図しない使用者による不正なアクセスも防止される。
【０１４９】
また、通信端末１００に固有の暗証番号のみで様々なサービスにアクセスできるので、利用者の利便性向上にも繋がる。
【０１５０】
＜変形例＞
次に、図１２を参照して、本実施の形態の変形例について説明する。図１２は、本変形例に係るコンテンツ出力システムの使用態様を表わす図である。
【０１５１】
本変形例に係るコンテンツ出力システム２０は、通信端末１００とテレビ１１０とサービス提供サーバ１２０とに加えて、リモコン１２００と、クレードル１２１０とをさらに備える。リモコン１２００は、テレビ１１０の動作を制御する制御信号を出力する。クレードル１２１０は、テレビ１１０と無線もしくは有線にて通信することができる。クレードル１２１０は、さらに、通信端末１００との間でデータを通信する。クレードル１２１０は、通信端末１００から出力される命令に基づいて、サービス提供参照番号１２０にアクセスするための要求をテレビ１１０に送信する。クレードル１２１０は、テレビ１１０からサービスＩＤと利用者ＩＤとパスワードとの入力要求を受信すると、その要求に応じて選択されたサービスＩＤと利用者ＩＤとパスワードとをテレビ１１０に送信する。クレードル１２１０は、サービスＩＤと利用者ＩＤとパスワードとを格納している。このような形態にすることで、使用者がリモコン１２００を使ってサービスなどを利用する場合に、リモコン１２００に対して一度入力したＩＤ／ＰＷは、クレードル１２１０に接続された通信端末１００で保存することができる。したがって、リモコン１２００の操作によっても、同様に利便性の向上に繋がる。それに加えて、通信端末１００が他の機能を実行している間（たとえば、電話の発信、着信あるいは通話中、メールの送信または受信、モバイル向けのテレビ放送信号に基づく映像の表示など）であっても、リモコン１２００は使用可能である。したがって、当該使用者は、通信端末１００の使用を中止することなく、あるいは使用を終えるまで待機することなく、サービスを利用することができる。
【０１５２】
図１３を参照して、本変形例に係るコンテンツ出力システム２０の使用態様について説明する。図１３は、コンテンツ出力システム２０を構成するテレビ１１０における画面の表示を表わす図である。
【０１５３】
リモコン１２００の使用者が、リモコンを操作してテレビ１１０を介してサービス提供サーバ１２０にアクセスするための操作を実行すると、テレビ１１０はディスプレイ６３０にアクセス可能なサービスサイトの一覧を表示する。リモコン１２００の使用者が表示されたサービスサイトのいずれかを選択する操作を実行すると、リモコン端末１２００はその選択を表わす信号を発信する。
【０１５４】
テレビ１１０は、その信号を受信すると、その信号により特定されるサービスサイトを選択する。テレビ１１０は、そのサービスサイトにアクセスするために利用者ＩＤとパスワードとが必要であることを表わす信号を、入力要求として発信する。
【０１５５】
クレードル１２１０がその信号を受信すると、予め記憶しているデータから特定のサービスサイトおよび利用者ＩＤならびにパスワードを検索し、その検索したデータをアクセスのためのデータとしてテレビ１１０に送信する。テレビ１１０がそのデータをパケットに変換してサービス提供サーバ１２０に送信し、サービス提供サーバ１２０における認証が成功すると、そのサービスサイトから特定の情報コンテンツが提供される。
【０１５６】
次に、図１４を参照して、本変形例に係るテレビ１１０のデータ構造について説明する。図１４は、記憶装置６６０におけるデータの格納の一態様を概念的に表わす図である。本変形例に係るテレビ１１０は、図７に示されるデータ構造に加えて、テレビ１１０に接続されている通信端末（たとえばクレードル１２１０あるいは通信端末１００）からＩＤを取得するためのＩＤ取得プログラムをさらに格納している（メモリ領域１１１０）。ＣＰＵ６１０は、このプログラムを実行すると、特定のサービスサイトにアクセスするために利用者ＩＤとパスワードとが必要であることを表わすメッセージとそれらのデータの要求とを有する信号を生成し、発信機６１８を介してその信号を発信する。
【０１５７】
テレビ１１０から発信された信号がクレードル１２１０あるいは通信端末１００によって受信されると、そのサービスサイトに対応する利用者ＩＤとパスワードとが検索される。本変形例に係るテレビ１１０がそのようにして検索されたデータを有する信号を受信部６０６を介して受信すると、その信号から利用者ＩＤとパスワードとを取り出し、パケットデータを生成し通信Ｉ／Ｆ６７０を介してそのパケットデータをサービス提供サーバ１２０に送信する。
【０１５８】
なお、本変形例に係るテレビ１１０の他のハードウェア構成は、図６に示されるものと同じである。したがって、ここではそれらの説明は繰り返さない。
【０１５９】
次に、図１５を参照して、本変形例に係るテレビ１１０の制御構造について説明する。図１５は、本変形例に係るテレビ１１０を実現するＣＰＵ６１０が実行する一連の動作の一部を表わすフローチャートである。
【０１６０】
ステップＳ１５１０にて、ＣＰＵ６１０は、受信部６０６から出力される信号に基づいて、リモコン１２００から制御信号を受信したことを検知する。ここで、制御信号は、テレビ１１０がサービス提供サーバ１２０にアクセスする許可の要求を含む。ステップＳ１５１２にて、ＣＰＵ６１０は、記憶装置６６０に格納されているデータに基づいて、リモコン１２００がアクセス可能なサービスの一覧をディスプレイ６３０に表示する。
【０１６１】
ステップＳ１５１４にて、ＣＰＵ６１０は、そのサービスにアクセスするために利用者ＩＤとパスワードとが必要であることを表わす信号を生成する。ステップＳ１５１６にて、ＣＰＵ６１０は、その信号（たとえば信号３００）を発信機６１８を介して発信する。クレードル１２１０がテレビ１１０に接続されているとき、あるいは通信端末１００がテレビ１１０から発信される電波を受信可能な範囲に存在している場合、その信号はそのいずれかの装置によって受信され、ＩＤ要求に応じて予め規定された処理が実行される。
【０１６２】
ステップＳ１５２０にて、ＣＰＵ６１０は、受信部６０６からの出力に基づいてＩＤデータ（利用者ＩＤとパスワード）を受信したか否かを判定する。ＣＰＵ６１０は、ＩＤデータを受信したと判定すると（ステップＳ１５２０にてＹＥＳ）、制御をステップＳ１５４０に切り換える。そうでない場合には（ステップＳ１５２０にＮＯ）、ＣＰＵ６１０は、制御をステップＳ１５３０に切り換える。
【０１６３】
ステップＳ１５３０にて、ＣＰＵ６１０は、ＩＤデータの入力を促す画面をディスプレイ６３０に表示する。ステップＳ１５３２にて、ＣＰＵ６１０は、リモコン１２００から発信された信号からＩＤデータを取得する。すなわち、使用者が、リモコン１２００を操作することにより、特定のサービスサイトにアクセスするために必要な利用者ＩＤとパスワードとを入力したとき、リモコン１２００は、その利用者ＩＤとパスワードとを含む信号を制御信号として発信する。テレビ１１０が、その信号を受信部６０６を介して受信すると、ＣＰＵ６１０は、その信号から、利用者ＩＤとパスワードとを取り出す（ステップＳ１５３２）。
【０１６４】
ステップＳ１５４０にて、ＣＰＵ６１０は、ＩＤデータ（利用者ＩＤとパスワード）をパケットデータに変換する。ステップＳ１５５０にて、ＣＰＵ６１０は、そのパケットデータを通信Ｉ／Ｆ６７０を介して、サービス提供サーバ１２０に送信する。サービス提供サーバ１２０は、そのパケットデータを受信すると、パケットデータに含まれている利用者ＩＤとパスワードとサービスＩＤとを取り出す。サービス提供サーバ１２０は、その取り出したデータと予め登録されているデータとを比較することにより、当該パケットデータの送信者が正当な利用者であるか否かを判定する。サービス提供サーバ１２０は、そのパケットの送信者が正当であると判定すると、その確認結果（ＡＣＫ）を表わす信号を送信する。
【０１６５】
ステップＳ１５６０にて、テレビ１１０において、ＣＰＵ６１０は、通信Ｉ／Ｆ６７０を介して、サービス提供サーバ１２０によって送信されたその確認信号（ＡＣＫ）を受信する。サービス提供サーバ１２０は、その確認信号の送信に続けて、上記パケットにより送信が求められていた情報コンテンツのストリーム配信を開始する。テレビ１１０は、通信Ｉ／Ｆ６７０を介してそのストリーム配信された情報コンテンツを受信する。ステップＳ１５７０にて、ＣＰＵ６１０は、そのデータに基づく映像をディスプレイ６３０に表示する。
【０１６６】
次に、図１６から図１９を参照して、本変形例に係るコンテンツ出力システム２０における画面の表示態様について説明する。図１６および図１７は、テレビ１１０のディスプレイ６３０に表示される画面の一態様を表わす図である。
【０１６７】
通信端末１００がクレードル１２１０に装着されていないとき、あるいは、テレビ１１０によって構成されるホームネットワークに通信端末１００が存在しないとき、テレビ１１０は、そのことを検知し、メッセージ１６１０とアイコン１６２０，１６３０とをディスプレイ６３０に表示する。すなわち、テレビ１１０は、メッセージ１６１０として、サービスサイトにアクセスするためのデータが存在しないこと、およびその情報を有する通信端末をクレードル１２１０に設置すべき旨を表示する。
【０１６８】
さらに、テレビ１１０は、アイコン１６２０および１６３０を表示することにより、リモコン１２００からの制御信号に基づく動作が可能なように待機する。具体的には、通信端末１００がクレードル１２１０に設置された後に、アイコン１６２０は、リモコン１２００による選択操作を受け付ける。この操作により、通信端末が当該ホームネットワーク上に存在することがテレビ１１０によって検知され、通信端末１００に格納されている利用者情報（サービスＩＤと利用者ＩＤとパスワード）とが検索されることになる。
【０１６９】
一方、利用者情報を有する通信端末１００が存在しない場合、リモコン１２００の使用者は、アイコン１６３０を操作することにより、リモコン１２００から利用者ＩＤとパスワードとを入力することができる。このとき、ステップＳ１５３２に相当する処理が実行される。
【０１７０】
図１７は、テレビ１１０を含むホームネットワーク上に複数の通信端末１００が存在するときにテレビ１１０に表示される画面を表わす。具体的には、リモコン１２００の使用者がリモコン１２００を操作してサービスにログインしようとすると、テレビ１１０は、リモコン１２００によって発信された信号を受信し、その信号に基づいてホームネットワーク上に存在するクレードル１２１０および通信端末１００と通信する。
【０１７１】
テレビ１１０が、通信端末１００に格納されているデータを取得すると、ディスプレイ６３０に画面１７１０を表示する。画面１７１０は、複数の使用者が登録されているときに表示する画面を表わす。より具体的には、画面１７１０は、第１の使用者として「お父さん」を、第２の使用者として「美咲」を、それぞれ表示する。各使用者の特定は、たとえば使用者ごとに割り当てられた識別データ、電話番号などによって行なわれる。
【０１７２】
使用者が、リモコン１２００を操作して、当該サービスにログインしようとする利用者を選択すると、ディスプレイ６３０は、その選択された利用者を確認するための画面１７４０を表示する。この場合、第１の使用者である「お父さん」が選択されている。さらに、画面１７４０は、その選択された利用者が正当な利用者であることを確認するための暗証番号の入力を受け付ける領域１７５０と、その入力を確定する操作を受け付けるアイコン１７６０とを表示する。使用者が、リモコン１２００を操作して、暗証番号（たとえば４桁）を領域１７５０に入力し、アイコン１７６０を押下すると、リモコン１２００は、暗証番号を含む信号を発信する。テレビ１１０は、その信号を受信すると、その信号から暗証番号（領域１７５０）を取り出し、メモリ６１２に格納されている暗証番号を比較する。テレビ１１０は、暗証番号の入力者が正当な利用者であると判定すると、その選択された利用者に関連付けられる利用者ＩＤとパスワードとを、サービス提供サーバ１２０にパケットデータとして送信する。
【０１７３】
なお、暗証番号の確認は、テレビ１１０によってのみ行なわれなくてもよい。たとえば通信端末１００が暗証番号の確認を行なってもよい。この場合、テレビ１１０はリモコン１２００から受信した暗証番号を通信端末１００に送信する。通信端末１００は、テレビ１１０から受信したその暗証番号と、フラッシュメモリ９４４（図９）に予め保存されている暗証番号とを比較することにより、リモコン１２００によって与えられた暗証番号が正当な暗証番号であるか否かを判定する。通信端末１００は、入力された暗証番号が正当であると判定すると、その結果をテレビ１１０に送信する。テレビ１１０は、その結果を受信すると、その利用者ＩＤに関連付けられるサービスサイトに対してアクセスの要求を送信する。
【０１７４】
図１８は、本変形例に係るコンテンツ出力システム２０を構成する通信端末１００が表示する画面を表わす図である。通信端末１００は、クレードル１２１０を介してあるいは通信端末１００自身がテレビ１１０と通信可能なとき、リモコン１２００による表示操作に基づいて、アクセス可能なサービスの一覧を表示する。リモコン１２００の使用者がその表示を参照して、特定のサービスサイトを選択する操作を実行すると、通信端末１００は、メモリ９４４からデータを読み出して、テレビ１１０にそのデータを送信する。より特定的には、通信端末１００は、サービスＩＤ（ＵＲＬ）と、利用者ＩＤとパスワードとをテレビ１１０に送信する。なお、通信端末１００がアクセス可能なサービスの一覧は、通信端末１００のディスプレイ９５０に表示されるものに限られない。たとえば、テレビ１１０が、一覧を表示してもよい。
【０１７５】
図１９は、本変形例に係るコンテンツ出力システム２０を構成するテレビ１１０が表示する画面の一態様を表わす図である。通信端末１００がアクセス可能なサービスサイトの一覧は、通信端末１００に接続されるテレビ１１０も表示することができる。この表示のためのデータは、通信端末１００からテレビ１１０に送信される。このとき、送信されるデータは、各サービスサイトにアクセスするために必要な利用者ＩＤと、パスワードとを含む。使用者が、リモコン１２００を操作して、特定のサービスサイトを選択する操作を実行すると、その操作に応答して、テレビ１１０は、そのサービスサイトに関連付けられている利用者ＩＤとパスワードとを含むパケットデータを、サービス提供サーバ１２０に送信する。
【０１７６】
送信後、情報コンテンツがサービス提供サーバ１２０からテレビ１１０に送信されると、リモコン１２００の使用者は、その特定のサイトによって提供される映像コンテンツを視聴することができる。テレビ１１０は、この情報コンテンツの提供が最後まで行なわれると、通信端末１００から受信した一覧データ（利用者ＩＤとパスワードとを含むもの）を消去する。その結果、情報コンテンツの提供が終了した後、テレビ１１０は、各サービスサイトにアクセスするためのデータを有さないことになる。その結果、リモコン端末１２００の使用者は、利用者ＩＤとパスワードとがテレビ１１０から漏洩することを心配することなく、特定のチャンネルを選択する感覚でテレビ１１０を操作することにより、インターネット１３０を介して提供される情報コンテンツの視聴も楽しむことができる。
【０１７７】
＜第２の実施の形態＞
以下、本発明の第２の実施の形態について説明する。本実施の形態に係るコンテンツ出力システムは、通信端末が自らの判断で入力履歴を送信する機能を有する点で、前述の第１の実施の形態に係るコンテンツ出力システム１０と異なる。
【０１７８】
最初に、図２０を参照して、本実施の形態に係るコンテンツ出力システム３０の使用態様について説明する。図２０は、コンテンツ出力システムのシステム構成の概略を表わす図である。このコンテンツ出力システム３０は、たとえば家２０００のように、複数のコンテンツ出力装置が設置されている場所において構成される。具体的には、コンテンツシステムシステム３０は、インターネット１３０に接続されるテレビ２０１０，２０１２，２０１４を備える。インターネット１３０にはサービス提供サーバ１２０が接続されている。テレビ２０１０，２０１２，２０１４のそれぞれは、リモコン機能を有する通信端末２０２０によって制御される。なお、本実施の形態に係るコンテンツ出力システム３０は、少なくとも１つのテレビと通信端末２０２０とを有していればよい。
【０１７９】
図２１を参照して、本発明の第２の実施の形態に係るコンテンツ出力システム３０の使用態様について説明する。通信端末２０２０は、その使用者によって与えられた操作に基づいて、サービス提供サーバ１２０にアクセスするための動作を実行する。具体的には、その使用者による操作によって特定されるサービスＩＤを含む信号をリモコン信号として発信する。テレビ２０１０は、その信号を受信すると、サービス提供サーバ１２０と通信することにより、その指定された情報コンテンツを取得するための処理を実行する。
【０１８０】
サービス提供サーバ１２０によって提供される情報コンテンツが、利用者ＩＤとパスワードとを必要とするとき、通信端末２０２０によって送信されるサービスＩＤのみではその情報コンテンツが取得されない。そこで、通信端末２０２０は、その使用者によって与えられた入力により特定されるサービスサイトが利用者ＩＤとパスワードとを必要とするものであるとき、これらのデータも併せて送信する。通信端末２０２０がそのようなデータを常に送信すると、利用者ＩＤとパスワードとが、本来の使用者以外の操作によって発信されるおそれもある。そこで、通信端末２０２０は、サービス提供サーバ１２０へのアクセスの際に、通信端末２０２０の使用者が正当な使用者であることを確認するための認証処理を実行する。
【０１８１】
そこで、図２２を参照して、その認証処理について説明する。図２２は、認証機能を有する通信端末２０２０に表示される画面を表わす図である。通信端末２０２０は、テレビ２０１０を介してサービス提供サーバ１２０へのアクセスが行なわれていることを検知すると、暗証番号の入力を促すための画面２２１０を表示する。画面２２１０は、特定のサービスサイトあるいは特定の機器（たとえばテレビ２０１０）に接続するために予め通信端末２０２０に登録されている番号の入力を促す。
【０１８２】
通信端末２０２０の使用者がその操作部（たとえば数字ボタン、ジョグダイヤルなど）を操作して暗証番号（たとえば４桁）を領域２２２０に入力する。使用者が確認のためのボタンの画像２２３０を押下すると、通信端末２０２０は、フラッシュメモリに予め登録されている暗証番号とその入力された暗証番号とを比較することにより、通信端末２０２０の現在の使用者が正当な使用者であるか否かを判定する。
【０１８３】
通信端末２０２０は、その使用者が正当であると判定すると、フラッシュメモリからサービスＩＤと利用者ＩＤとパスワードとを読み出して、それらのデータを含む信号をリモコン信号として発信する。テレビ２０１０がその信号を受信すると、その信号からサービスＩＤと利用者ＩＤとパスワードとを取得する。テレビ２０１０は、取得したデータからパケットデータを生成して、サービス提供サービス１２０にそのパケットデータを送信する。
【０１８４】
図２３から図２５を参照して、本実施の形態に係る通信端末２０２０の構成について説明する。図２３は、通信端末２０２０が有する主たる機能の一部を表わすブロック図である。通信端末２０２０は、図８に示される構成に対して、制御部８５０の代わりに、制御部２３５０を有する。制御部２３５０は、制御信号生成部８５１と検索部８５２と選択部８５３と発信制御部８５４と暗号化部８５５と検出部８５６とに加えて、履歴送信部２３６０をさらに含む。
【０１８５】
制御部２３５０は、通信端末２０２０の動作を制御する。より具体的には、制御部２３５０において、履歴送信部２３６０は、入力部８２０に対する操作に基づいて、通信端末２０２０の使用者が正当であるか否かを判定する。その使用者が正当であるとき、履歴送信部２３６０は、記憶部８３０に格納されている利用者ＩＤとパスワードとを読み出し、その読み出したデータを制御信号生成部８５１に与える。制御信号生成部８５１は、それらのデータを有する信号を生成し、発信部８６０に発信させる。その結果、通信端末２０２０は、サービスサイトへのアクセスの指示の入力に応答して、記憶部８３０に格納されている利用者ＩＤとパスワードとを送信する。このとき、通信端末２０２０の使用者の認証が既に行なわれているため、不正な使用者による利用者ＩＤとパスワードとの送信が防止される。
【０１８６】
図２４は、記憶部８３０におけるデータの格納の一態様を概念的に表わす図である。記憶部８３０は、データを格納するための複数のメモリ領域を含む。通信端末２０２０によって操作可能な機器を特定するためのデータは、メモリ領域２４１０に格納されている。当該機器を特定するデータ（たとえば製品番号）は、メモリ領域２４２０に格納されている。当該機器に対する入力履歴のテーブルを識別するデータは、メモリ領域２４３０に格納されている。より具体的には、テーブル２４３０は、サービスＩＤ２４４０と、利用者ＩＤ２４４１と、パスワード２４４２と、最終アクセス日時２４４３と、有効期限を表わすデータ２４４４とを含む。これらのデータは、各機器を介してサービス提供サーバ１２０その他のサービスサイトにアクセスする都度、ＣＰＵその他の制御装置によって記録される。
【０１８７】
なお、ある局面において、このテーブルは各機器ごとに作成される。具体的には、制御部２３５０は、メモリ領域２４３０に格納されているデータを参照することにより、各機器についてのテーブルにアクセスすることができる。
【０１８８】
記憶部８４０は、さらに、暗証番号２４５０と、履歴送信プログラム２４６０と、暗証番号認証プログラム２４７０と、ファームウェア２４８０とを含む。暗証番号２４５０は、通信端末２０２０の使用者によって入力されたデータである。通信端末２０２０は、このデータを登録された暗証番号として、その後入力される暗証番号（領域２２２０）と比較することにより、その暗証番号を入力した使用者が登録された使用者であるか否かを判定する。
【０１８９】
履歴送信プログラム２４６０は、通信端末２０２０による履歴（メモリ領域２４３０）をテレビ２０１０その他の機器に送信する処理を実現する。たとえば、制御部２３５０が履歴送信プログラム２４６０を実行すると、サービスＩＤ２４４０と利用者ＩＤ２４４１とパスワード２４４２とがそれぞれ制御信号として発信される。
【０１９０】
暗証番号認証プログラム２４７０は、暗証番号２４５０と入力された暗証番号とを比較し、認証処理を実行する。この処理の結果、入力された暗証番号が正しい場合には、履歴送信プログラム２４６０による履歴データの送信が実現される。もし暗証番号が不正である場合、履歴送信プログラム２４６０は、上記の各データの送信を行なわない。
【０１９１】
ファームウェア２４８０は、通信端末２０２０の基本的なハードウェアの動作を制御する。
【０１９２】
次に、図２５を参照して、本実施の形態に係る通信端末２０２０の制御構造について説明する。図２５は、通信端末２０２０を実現する制御部２３５０が実行する主たる動作の一部を表わすフローチャートである。
【０１９３】
ステップＳ２５１０にて、制御部２３５０は、入力部８２０からの出力に基づいて、サービス提供サーバ１２０によって提供されるサービスサイトにアクセスする操作が行なわれたことを検知する。ステップＳ２５２０にて、制御部２３５０は、記憶部８３０に格納されているデータに基づいて、暗証番号の入力を促す画面を表示部８７０に表示する。ステップＳ２５３０にて、制御部２３５０は、入力部８２０に対して与えられた操作入力に基づいて、暗証番号が入力されたことを検知する。
【０１９４】
ステップＳ２５４０にて、制御部２３５０は、その入力された暗証番号が正当であるか否かを判定する。たとえば、制御部２３５０は、記憶部８３０に格納されている登録済みの暗証番号（図２４）と、入力された暗証番号とを比較する。制御部２３５０は、その入力された暗証番号が正当であると判定すると（ステップＳ２５４０にてＹＥＳ）、制御部２３５０は、制御をステップＳ２５５０に切り換える。そうでない場合には（ステップＳ２５４０にＮＯ）、制御をステップＳ２５２０に戻す。
【０１９５】
ステップＳ２５５０にて、制御部２３５０は、記憶部８３０からその入力履歴を読み出してリモコン信号を生成する。具体的には、制御部２３５０は、通信端末２０２０が現在通信しようとしている機器を特定するデータに基づいて、当該機器を介して与えられた入力履歴を読み出す（メモリ領域２４３０）。制御部２３５０は、そのテーブルからサービスＩＤ２４４０と利用者ＩＤ２４４１とパスワード２４４２とを読み出す。
【０１９６】
ステップＳ２５６０にて、制御部２３５０は、発信部８６０を介してその生成した信号を発信する。テレビ２０１０は、その信号を受信すると、その信号からサービスＩＤと利用者ＩＤとパスワードとを取り出してそれらのデータをパケットに変換する。テレビ２０１０がそのパケットをサービス提供サーバ１２０に送信する。サービス提供サーバ１２０は、アクセスを求めている利用者が正当な利用者であると判定すると、情報コンテンツをストリーム配信する。
【０１９７】
次に、図２６を参照して、通信端末２０２０とテレビ２０１０との通信について説明する。図２６は、通信端末２０２０が送信する信号２６００の構成を表わす図である。信号２６００は、開始ビット２６１０と、ユーザデータ２６２０と、終了ビット２６３０とを含む。開始ビット２６１０は、信号２６００の先頭を表わす。ユーザデータ２６２０は、端末ＩＤと、機器Ａに対する入力履歴とを含む。端末ＩＤは、通信端末２０２０を識別する。機器Ａに対する入力履歴は、機器Ａを識別するデータ（メモリ領域２４２０）と、履歴データ（メモリ領域２４３０）とを含む。より特定的には、履歴データは、サービスＩＤ２４４０と利用者ＩＤ２４４１と、パスワード２４４２とを含む。終了ビット２６３０は、信号２６００の終わりを表わす。
【０１９８】
信号２６００の形式は、テレビ２０１０その他のコンテンツ出力装置が受信可能な形式である。したがって、テレビ２０１０は、信号２６００を通常の制御信号として受信することができる。テレビ２０１０は、信号２６００からユーザデータ２６２０を取り出し、前述のパケットデータを生成する。
【０１９９】
ここで、メモリ領域２４２０に格納されているデータは、いずれかのコンテンツ出力装置を特定するものである。したがって、仮に、複数のコンテンツ出力装置が、通信端末２０２０から発信される信号を受信できる範囲に存在していても、メモリ領域２４２０に格納されているデータに対応するコンテンツ出力装置（たとえば、機器Ａ）のみが、信号２６００に基づく動作を実行する。したがって、他の機器の誤動作も防止される。
【０２００】
＜変形例＞
以下、第２の実施の形態の変形例について説明する。本変形例に係るコンテンツ出力システム４０は、テレビ２０１０を操作するリモコン２７００に対する操作に基づいて通信端末２０２０に格納されている入力履歴を送信する機能を実現できる点で、前述のコンテンツ出力システム３０と異なる。
【０２０１】
図２７は、本変形例に係るコンテンツ出力システム４０の構成の概略を表わす図である。コンテンツ出力システム４０は、テレビ２０１０に加えて、クレードル２７１０とリモコン２７００とを備える。通信端末２０２０は、クレードル２７１０に装着可能である。使用者がリモコン２７００を操作すると、リモコン２７００は制御信号を発信する。テレビ２０１０は、その信号を受信すると、通信端末２０２０に対して、サービス提供サーバ１２０に対するアクセスの試みが行なわれていることを通知する。
【０２０２】
通信端末２０２０は、その通知を表わす信号を受信すると、記憶部８３０に格納されている履歴データを送信するための処理を実行する。通信端末２０２０は、不正な送信を防ぐために、リモコン２７００の使用者が正当な使用者であるか否かを判定するための処理を実行する。より特定的には、通信端末２０２０は、テレビ２０１０に暗証番号の入力を促す画面を表示させる。この表示は、たとえばテレビ２０１０に予め格納されているデータに基づいて実現される。
【０２０３】
リモコン２７００の使用者が、テレビ２０１０に対して暗証番号の入力を行なうと、その入力されたデータは、テレビ２０１０から通信端末２０２０に送信される。通信端末２０２０が上記の認証処理を実行する。入力された暗証番号が正当である場合、通信端末２０２０は、記憶部８３０から入力履歴を読み出して信号２６００として発信する。テレビ２０１０は、信号２６００を受信すると、その信号から利用者ＩＤとパスワードとを取り出し、サービス提供サーバ１２０に送信する。
【０２０４】
図２８は、本実施の形態に係るコンテンツ取得システム４０のさらに他の使用態様を表わす図である。通信端末２０２０が複数の使用者によって使用されている場合、各使用者ごとに入力履歴が異なることも考えられる。そこで、テレビ２０１０は、リモコン２７００からの信号に基づいてサービス提供サーバにアクセスするとき、アクセス可能な利用者の一覧を表示する。テレビ２０１０は、画面２８１０において、特定の利用者を選択することを促す画像を表示する。たとえば、通信端末２０２０が携帯電話機によって実現される場合、その携帯電話機に割り当てられた電話番号と具体的な利用者とを表示する（画像２８１２，２８１４）。
【０２０５】
リモコン２７００の使用者がテレビ２０２０に表示されたその画像を見ていずれかの使用者を選択すると、暗証番号の入力を促す画面２８２０が表示される。使用者が、リモコン２７００を操作して、暗証番号（たとえば４桁）を領域２８２２に入力し、その入力の確定の操作を行なうと（２８３０）、通信端末２０２０にその入力された暗証番号が送られる。通信端末２０２０は、前述の認証処理を実行し、リモコン２７００の使用者が通信端末２０２０の使用者として予め登録された正当な使用者であるか否かを判定する。通信端末２０２０は、使用者が正当な使用者であると判定すると、テレビ２０１０からの要求に応じて、利用者ＩＤおよびパスワードを含む入力履歴を送信する。テレビ２０１０は、その入力履歴を受信すると、その履歴を画面２８１０に表示する。使用者が、リモコン２７００を操作して、特定の履歴を選択すると、その履歴に対応するサービスにアクセスするための利用者ＩＤおよびパスワードがサービス提供サーバ１２０に送信される。これにより、当該使用者は、利用者ＩＤおよびパスワードそれ自体を入力することなく、アクセスが制限されたサービスから情報コンテンツの提供を受けることができる。
【０２０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０２０７】
本発明は、たとえば、携帯電話、ＰＤＡその他の携帯型の情報通信端末に適用可能である。
【図面の簡単な説明】
【０２０８】
【図１】本発明の第１の実施の形態に係るコンテンツ出力システム１０のシステム構成の概略を表わす図である。
【図２】通信端末１００のディスプレイに表示される画面を表わす図である。
【図３】テレビ１１０から発信される信号３００の構成を概念的に表わす図である。
【図４】通信端末１００から発信される信号４００の構成を概念的に表わす図である。
【図５】テレビ１１０が有する機能の一部を表わすブロック図である。
【図６】テレビ１１０のハードウェア構成を表わすブロック図である。
【図７】テレビ１１０の記憶装置６６０におけるデータの格納の一態様を概念的に表わす図である。
【図８】通信端末１００が有する機能の一部を表わすブロック図である。
【図９】通信端末１００のハードウェア構成を表わすブロック図である。
【図１０】通信端末１００が備えるフラッシュメモリ９４４におけるデータの格納の一態様を概念的に表わす図である。
【図１１】通信端末１００とテレビ１１０とサービス提供サーバ１２０とが実行する一連の動作の一部を表わすフローチャートである。
【図１２】本発明の第１の実施の形態の変形例に係るコンテンツ出力システムの使用態様を表わす図である。
【図１３】コンテンツ出力システム２０を構成するテレビ１１０における画面の表示を表わす図である。
【図１４】記憶装置６６０におけるデータの格納の一態様を概念的に表わす図である。
【図１５】本発明の第１の実施の形態の変形例に係るテレビ１１０を実現するＣＰＵ６１０が実行する一連の動作の一部を表わすフローチャートである。
【図１６】テレビ１１０のディスプレイ６３０に表示される画面の一態様を表わす図（その２）である。
【図１７】テレビ１１０のディスプレイ６３０に表示される画面の一態様を表わす図である。
【図１８】本発明の第１の実施の形態の変形例に係るコンテンツ出力システム２０を構成する通信端末１００が表示する画面を表わす図である。
【図１９】本発明の第１の実施の形態の変形例に係るコンテンツ出力システム２０を構成するテレビ１１０が表示する画面の一態様を表わす図である。
【図２０】本発明の第２の実施の形態に係るコンテンツ出力システムのシステム構成の概略を表わす図である。
【図２１】本発明の第２の実施の形態に係るコンテンツ出力システム３０の使用態様を表わす図である。
【図２２】認証機能を有する通信端末２０２０に表示される画面を表わす図である。
【図２３】本発明の第２の実施の形態に係る通信端末２０２０が有する主たる機能の一部を表わすブロック図である。
【図２４】記憶部８３０におけるデータの格納の一態様を概念的に表わす図である。
【図２５】通信端末２０２０を実現する制御部２３５０が実行する主たる動作の一部を表わすフローチャートである。
【図２６】通信端末２０２０が送信する信号２６００の構成を表わす図である。
【図２７】本発明の第２の実施の形態の変形例に係るコンテンツ出力システム４０の構成の概略を表わす図である。
【図２８】本実施の形態に係るコンテンツ取得システム４０のさらに他の使用態様を表わす図である。
【符号の説明】
【０２０９】
１０，２０，３０，４０  コンテンツ出力システム、１００，１００ａ，１００ｂ，２０２０  通信端末、１１０，２０１０  テレビ、１２０  サービス提供サーバ、１３０  インターネット、３００，４００，２６００  信号、６０２，９０８  アンテナ、６２８  表示ドライバ、６３６ａ，６３６ｂ  アンプ、９８２  メモリカード、１２００，２７００  リモコン、１２１０，２７１０  クレードル、２０００  家。
【図１】
2008227701.tif 000003
【図２】
2008227701.tif 000004
【図３】
2008227701.tif 000005
【図４】
2008227701.tif 000006
【図５】
2008227701.tif 000007
【図６】
2008227701.tif 000008
【図７】
2008227701.tif 000009
【図８】
2008227701.tif 000010
【図９】
2008227701.tif 000011
【図１０】
2008227701.tif 000012
【図１１】
2008227701.tif 000013
【図１２】
2008227701.tif 000014
【図１３】
2008227701.tif 000015
【図１４】
2008227701.tif 000016
【図１５】
2008227701.tif 000017
【図１６】
2008227701.tif 000018
【図１７】
2008227701.tif 000019
【図１８】
2008227701.tif 000020
【図１９】
2008227701.tif 000021
【図２０】
2008227701.tif 000022
【図２１】
2008227701.tif 000023
【図２２】
2008227701.tif 000024
【図２３】
2008227701.tif 000025
【図２４】
2008227701.tif 000026
【図２５】
2008227701.tif 000027
【図２６】
2008227701.tif 000028
【図２７】
2008227701.tif 000029
【図２８】
2008227701.tif 000030